(57)【要約】【課題】グラントフリーアクセスでｍＭＴＣやＵＲＬＬＣのデータ送信する端末装置を効率的に収容することが可能な基地局装置、端末装置及び通信方法を提供すること。【解決手段】端末装置と通信をする基地局装置であって、前記端末装置固有の第１の制御情報と複数の端末装置宛ての第２の制御情報を生成する制御部と、上りリンクの物理チャネルを受信する受信部と、を備え、前記受信部は、前記端末装置が前記第１の制御情報で上りリンクの送信許可の制御情報を受信することなく送信されたデータを受信し、前記第１の制御情報は前記データの送信に用いる無線リソースを準静的に割り当てることを示し、前記第２の制御情報は前記データの送信に用いる無線リソースを動的に割り当てることを示す。【選択図】図５
2020031253.tif 000002
【特許請求の範囲】
【請求項１】
端末装置と通信をする基地局装置であって、
前記端末装置固有の第１の制御情報と複数の端末装置宛ての第２の制御情報を生成する制御部と、上りリンクの物理チャネルを受信する受信部と、を備え、
前記受信部は、前記端末装置が前記第１の制御情報で上りリンクの送信許可の制御情報を受信することなく送信されたデータを受信し、
前記第１の制御情報は前記データの送信に用いる無線リソースを準静的に割り当てることを示し、
前記第２の制御情報は前記データの送信に用いる無線リソースを動的に割り当てることを示すこと、を特徴とする基地局装置。
【請求項２】
前記第１の制御情報を検出するためのＩＤと前記第２の制御情報を検出するためのＩＤが異なること、を特徴とする請求項１に記載の基地局装置。
【請求項３】
前記制御部は、前記第２の制御情報の送信に用いる物理チャネルもしくは前記第２の制御情報を配置する候補のサーチスペースの少なくとも一つを示す制御情報を生成すること、を特徴とする請求項１に記載の基地局装置。
【請求項４】
前記第２の制御情報に含まれる無線リソースの情報は、開始のサブフレームを前記第２の制御情報を送信したサブフレームから相対的なサブフレーム数と、有効なサブフレーム数が含まれること、を特徴とする請求項１に記載の基地局装置。
【請求項５】
前記第１の制御情報には、前記上りリンクの送信許可の制御情報を受信することなく前記端末装置がデータを送信することを禁止するサブフレーム番号と周期の情報のいずれか一方が含まれること、を特徴とする請求項１に記載の基地局装置。
【請求項６】
基地局装置と通信をする端末装置であって、
前記基地局装置から前記端末装置固有の第１の制御情報と複数の端末装置宛ての第２の制御情報を受信する受信部と、
前記第１の制御情報もしくは前記第２の制御情報に基づいて上りリンクのデータ送信する送信部と、を備え、
前記送信部は、前記第１の制御情報で上りリンクの送信許可の制御情報を受信することなくデータ送信し、
前記第１の制御情報は前記データの送信に用いる無線リソースを準静的に割り当てる情報であり、
前記第２の制御情報は前記データの送信に用いる無線リソースを動的に割り当てる情報であること、を特徴とする端末装置。
【請求項７】
前記送信部は、前記第２の制御情報を検出できなかった場合に前記第１の制御情報に基づいて上りリンクのデータ送信をすること、を特徴とする請求項６に記載の端末装置。
【請求項８】
前記上りリンクの送信許可を要求する制御情報を生成する制御部を備え、
前記第２の制御情報を検出できなかった場合に前記上りリンクの送信許可を要求する制御情報を送信すること、を特徴とする請求項６に記載の端末装置。
【請求項９】
検出した前記第２の制御情報に非連続な周波数リソースを示す情報が含まれる場合に前記上りリンクの送信許可の制御情報を受信することなくデータ送信に用いる周波数リソースを選択すること、を特徴とする請求項６に記載の端末装置。
【請求項１０】
前記受信部が前記第２の制御情報を受信するためのＩＤを受信した場合に前記送信部で送信するデータがバッファにある場合のみ前記第２の制御情報の受信処理を行うこと、を特徴とする請求項６に記載の端末装置。
【請求項１１】
前記第１の制御情報には、前記上りリンクの送信許可の制御情報を受信することなく前記端末装置がデータを送信することを禁止するサブフレーム番号と周期の情報が含まれること、を特徴とする請求項６に記載の端末装置。
【発明の詳細な説明】
【技術分野】
【０００１】
本発明は、基地局装置、端末装置およびその通信方法に関する。
【背景技術】
【０００２】
近年、第５世代移動通信システム（5G: 5th Generation mobile telecommunication systems）が注目されており、主に多数の端末装置によるＭＴＣ（mMTC；Massive Machine Type Communications）、超高信頼・低遅延通信（URLLC；Ultra-reliable and low latency communications）、大容量・高速通信（eMBB；enhanced Mobile BroadBand）を実現す
る通信技術の仕様化が見込まれている。３ＧＰＰ（3rd Generation Partnership Project）では、５Ｇの通信技術としてＮＲ（New Radio）の検討が行われており、NRのマルチア
クセス(MA: Multiple Access)の議論が進められている。
【０００３】
５Ｇでは、これまでネットワークに接続されていなかった多様な機器を接続するＩｏＴ（Internet of Things）の実現が見込まれ、ｍＭＴＣの実現が重要な要素の一つになっている。３ＧＰＰにおいて、小さいサイズのデータ送受信を行う端末装置を収容するＭＴＣ（Machine Type Communication）として、Ｍ２Ｍ（Machine-to-Machine）通信技術の標準化が既に行われている（非特許文献１）。さらに、低レートでのデータ送信を狭帯域でサポートするため、ＮＢ−ＩｏＴ（Narrow Band-IoT）の仕様化も進められている（非特許
文献２）。５Ｇでは、これらの標準規格よりもさらなる多数端末の収容を実現すると共に、超高信頼・低遅延通信が必要なIoTの機器も収容することが期待されている。
【０００４】
一方、３ＧＰＰで仕様化されているＬＴＥ（Long Term Evolution）、ＬＴＥ−Ａ（LTE-Advanced）等の通信システムにおいて、端末装置（ＵＥ：User Equipment）は、ランダ
ムアクセスプロシージャ（Random Access Procedure）やスケジューリング要求（ＳＲ：Scheduling Request）等を使用して、基地局装置（ＢＳ；Base Station、ｅＮＢ；evolved
Node Bとも呼称される）に、上りリンクのデータを送信するための無線リソースを要求
する。前記基地局装置は、ＳＲを基に各端末装置に上り送信許可（ＵＬ  Ｇｒａｎｔ）を与える。前記端末装置は、前記基地局装置から制御情報のＵＬ  Ｇｒａｎｔを受信すると、そのＵＬ  Ｇｒａｎｔに含まれる上りリンク送信パラメータに基づき、所定の無線リソースで上りリンクのデータを送信する（Scheduled access、grant-based accessと呼ばれる、以下スケジュールドアクセスとする）。このように、基地局装置は、全ての上りリンクのデータ送信を制御する（基地局装置は、各端末装置よって送信される上りリンクのデータの無線リソースを把握している）。スケジュールドアクセスにおいて、基地局装置が上りリンク無線リソースを制御することにより、直交多元接続（ＯＭＡ：Orthogonal Multiple Access）を実現できる。
【０００５】
５ＧのｍＭＴＣでは、スケジュールドアクセスを用いると制御情報量が増大することが問題である。また、ＵＲＬＬＣではスケジュールドアクセスを用いると遅延が長くなることが問題である。そこで、端末装置がランダムアクセスプロシージャやＳＲ送信をしない、かつＵＬ  Ｇｒａｎｔ受信等を行うことなくデータ送信を行うグラントフリーアクセス（grant free access、grant less access、Contention-based accessやAutonomous accessなどとも呼称される、以下、グラントフリーアクセスとする）が検討されている（非特許文献３）。グラントフリーアクセスでは、多数デバイスが小さいサイズのデータの送信を行う場合でも、制御情報によるオーバーヘッドの増加を抑えることができる。さらに、グラントフリーアクセスでは、ＵＬ  Ｇｒａｎｔ受信等を行わないため、送信データの発生から送信までの時間も短くできる。
【先行技術文献】
【非特許文献】
【０００６】
【非特許文献１】3GPP， TR36.888 V12.0.0， “Study on provision of low-cost Machine-Type Communications (MTC) User Equipments (UEs) based on LTE,” Jun. 2013
【非特許文献２】3GPP， TR45.820 V13.0.0， “Cellular system support for ultra-low complexity and low throughput Internet of Things (CIoT),” Aug. 2015
【非特許文献３】R1-165595, 3GPP TSG RAN WG1 #85 Meeting, Nanjing, China, May 23-27, 2016
【発明の概要】
【発明が解決しようとする課題】
【０００７】
基地局装置がｍＭＴＣやＵＲＬＬＣに相当するデータ送信を行う端末装置に対して、グラントフリーアクセスでのデータ送信を許容すると、基地局装置では端末装置のデータ送信のタイミングや周波数リソースを管理できないため、データの衝突が発生する。この場合、再送制御により所定の通信品質を満たすことが考えられるが、データ（パケット）を正しく検出するまでに時間がかかる、つまり遅延が長くなるという問題がある。
【０００８】
本発明はこのような事情を鑑みてなされたものであり、その目的は、グラントフリーアクセスでｍＭＴＣやＵＲＬＬＣのデータ送信する端末装置を効率的に収容することが可能な基地局装置、端末装置及び通信方法を提供することにある。
【課題を解決するための手段】
【０００９】
上述した課題を解決するために本発明に係る基地局装置、端末装置および通信方法の構成は、次の通りである。
【００１０】
（１）本発明の一態様は、端末装置と通信をする基地局装置であって、前記端末装置固有の第１の制御情報と複数の端末装置宛ての第２の制御情報を生成する制御部と、上りリンクの物理チャネルを受信する受信部と、を備え、前記受信部は、前記端末装置が前記第１の制御情報で上りリンクの送信許可の制御情報を受信することなく送信されたデータを受信し、前記第１の制御情報は前記データの送信に用いる無線リソースを準静的に割り当てることを示し、前記第２の制御情報は前記データの送信に用いる無線リソースを動的に割り当てることを示すこと、を特徴とする。
【００１１】
（２）また、本発明の一態様は、前記第１の制御情報を検出するためのＩＤと前記第２の制御情報を検出するためのＩＤが異なること、を特徴とする。
【００１２】
（３）また、本発明の一態様は、前記制御部は、前記第２の制御情報の送信に用いる物理チャネルもしくは前記第２の制御情報を配置する候補のサーチスペースの少なくとも一つを示す制御情報を生成すること、を特徴とする。
【００１３】
（４）また、本発明の一態様は、前記第２の制御情報に含まれる無線リソースの情報は、開始のサブフレームを前記第２の制御情報を送信したサブフレームから相対的なサブフレーム数と、有効なサブフレーム数が含まれること、を特徴とする。
【００１４】
（５）また、本発明の一態様は、前記第１の制御情報には、前記上りリンクの送信許可の制御情報を受信することなく前記端末装置がデータを送信することを禁止するサブフレーム番号と周期の情報のいずれか一方が含まれること、を特徴とする。
【００１５】
（６）また、本発明の一態様は、基地局装置と通信をする端末装置であって、前記基地局装置から前記端末装置固有の第１の制御情報と複数の端末装置宛ての第２の制御情報を
受信する受信部と、前記第１の制御情報もしくは前記第２の制御情報に基づいて上りリンクのデータ送信する送信部と、を備え、前記送信部は、前記第１の制御情報で上りリンクの送信許可の制御情報を受信することなくデータ送信し、前記第１の制御情報は前記データの送信に用いる無線リソースを準静的に割り当てる情報であり、前記第２の制御情報は前記データの送信に用いる無線リソースを動的に割り当てる情報であること、を特徴とする。
【００１６】
（７）また、本発明の一態様は、前記送信部は、前記第２の制御情報を検出できなかった場合に前記第１の制御情報に基づいて上りリンクのデータ送信をすること、を特徴とする。
【００１７】
（８）また、本発明の一態様は、前記上りリンクの送信許可を要求する制御情報を生成する制御部を備え、前記第２の制御情報を検出できなかった場合に前記上りリンクの送信許可を要求する制御情報を送信すること、を特徴とする。
【００１８】
（９）また、本発明の一態様は、検出した前記第２の制御情報に非連続な周波数リソースを示す情報が含まれる場合に前記上りリンクの送信許可の制御情報を受信することなくデータ送信に用いる周波数リソースを選択すること、を特徴とする。
【００１９】
（１０）また、本発明の一態様は、前記受信部が前記第２の制御情報を受信するためのＩＤを受信した場合に前記送信部で送信するデータがバッファにある場合のみ前記第２の制御情報の受信処理を行うこと、を特徴とする。
【００２０】
（１１）また、本発明の一態様は、前記第１の制御情報には、前記上りリンクの送信許可の制御情報を受信することなく前記端末装置がデータを送信することを禁止するサブフレーム番号と周期の情報が含まれること、を特徴とする。
【発明の効果】
【００２１】
本発明の一又は複数の態様によれば、グラントフリーアクセスでｍＭＴＣやＵＲＬＬＣのデータ送信する端末装置を効率的に収容することができる。
【図面の簡単な説明】
【００２２】
【図１】第１の実施形態に係る通信システムの例を示す図である。
【図２】第１の実施形態に係る通信システムの無線フレーム構成例を示す図である。
【図３】第１の実施形態に係る端末装置２０の構成を示す概略ブロック図である。
【図４】第１の実施形態に係るグラントフリーアクセスにおける基地局装置及び端末装置間のシーケンス例を示す図である。
【図５】第１の実施形態に係る上りリンクのフレーム構成例を示す図である。
【図６】第１の実施形態に係る上りリンクのフレーム構成の一例を示す図である。
【図７】第１の実施形態に係る上りリンクのフレーム構成の一例を示す図である。
【図８】第１の実施形態における基地局装置１０の構成を示す概略ブロック図である。
【図９】第１の実施形態に係る信号検出部の一例を示す図である。
【図１０】第１の実施形態に係る下りリンクのフレーム構成の一例を示す図である。
【図１１】第２の実施形態に係るフレーム構成の一例を示す図である。
【図１２】第３の実施形態に係るフレーム構成の一例を示す図である。
【発明を実施するための形態】
【００２３】
本実施形態に係る通信システムは、基地局装置（セル、スモールセル、ピコセル、サービングセル、コンポーネントキャリア、ｅＮｏｄｅＢ（ｅＮＢ）、Ｈｏｍｅ  ｅＮｏｄｅ
Ｂ、Ｌｏｗ  Ｐｏｗｅｒ  Ｎｏｄｅ、Ｒｅｍｏｔｅ  Ｒａｄｉｏ  Ｈｅａｄ、ｇＮｏｄｅＢ（ｇＮＢ）、制御局とも呼称される）および端末装置（端末、移動端末、移動局、ＵＥ:User Equipmentとも呼称される）を備える。該通信システムにおいて、下りリンクの場
合、基地局装置は送信装置（送信点、送信アンテナ群、送信アンテナポート群）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００２４】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも
、適用することができる。この場合、端末装置がＭＴＣ端末となる。前記通信システムは、上りリンク及び下りリンクにおいて、ＤＦＴＳ−ＯＦＤＭ（Discrete Fourier Transform Spread - Orthogonal Frequency Division Multiplexing、SC-FDMAとも称される）、
ＯＦＤＭ、ＳＣＭＡ（Sparse Code Multiple Access）等の伝送方式を用いることができ
る。前記通信システムは、フィルタを適用したＦＢＭＣ（Filter Bank Multi Carrier）
、ｆ−ＯＦＤＭ（Filtered - OFDM）、ＵＦ−ＯＦＤＭ（Universal Filtered - OFDM）、Ｗ−ＯＦＤＭ（Windowing - OFDM）、スパース符号を用いる伝送方式（ＳＣＭＡ：Sparse
Code Multiple Access）などを用いることもできる。さらに、前記通信システムは、Ｄ
ＦＴプレコーディングを適用し、上記のフィルタを用いる信号波形を用いてもよい。さらに、前記通信システムは、前記伝送方式において、符号拡散、インターリーブ、スパース符号等を施すこともできる。なお、以下では、上りリンクはＤＦＴＳ−ＯＦＤＭ伝送とＯＦＤＭ伝送の少なくとも一つを用い、下りリンクはＯＦＤＭ伝送を用いた場合で説明するが、これに限らず、他の伝送方式を適用することができる。
【００２５】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。アンライセンスバンドでは、キャリアセンス（例えば、listen before talk方式）に基づく通信としても良い。
【００２６】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
（第１の実施形態）
図１は、本実施形態に係る通信システムの構成例を示す図である。本実施形態における通信システムは、基地局装置１０、端末装置２０−１〜２０−ｎ１（ｎ１は基地局装置１０と接続している端末装置数）を備える。端末装置２０−１〜２０−ｎ１を総称して端末装置２０とも称する。カバレッジ１０ａは、基地局装置１０が端末装置２０と接続可能な範囲（通信エリア）である（セルとも呼ぶ）。
【００２７】
図１において、基地局装置１０及び端末装置２０は、上りリンクにおいて、グラントフリーアクセス（grant free access、grant less access、Contention-based accessやAutonomous accessとも呼ばれる）を用いた多元接続（MA: Multiple Access）をサポートす
る。グラントフリーアクセスにおいて、端末装置２０は、基地局装置１０から上りリンク送信許可（ＵＬ  Ｇｒａｎｔ：アップリンクグラント、スケジューリンググラントとも呼ばれる。）の制御情報の受信に依らず（ＵＬ  Ｇｒａｎｔの受信なしで）、上りリンクの
データ（物理上りリンクチャネルなど）を送信する。基地局装置１０及び端末装置２０は、非直交マルチアクセスをサポートしても良い。なお、基地局装置１０及び端末装置２０は、グラントフリーアクセス及びスケジュールドアクセスの両方をサポートすることもできる。基地局装置１０及び端末装置２０は、非直交マルチアクセス及び直交マルチアクセスの両方をサポートすることもできる。なお、ＵＬ  Ｇｒａｎｔは、物理上りリンク共有チャネル（例えば、ＰＵＳＣＨ：Physical Uplink Shared Channel、ＮＲＰＵＳＣＨ：New Radio PUSCH）のスケジューリングのために使われる下りリンク制御情報（ＤＣＩ：Downlink Control Information）を用いて、基地局装置１０が、端末装置２０に対して、物
理上りリンク共有チャネルにリソースブロックアサインメントを指示する制御情報である（例えば、ＬＴＥにおける物理下りリンク制御チャネルで送信されるＤＣＩフォーマットに含まれる物理上りリンク共有チャネルのためのリソースブロック割当てフィールド）。
【００２８】
上りリンクの物理チャネル送信のための下りリンク制御情報は、スケジュールドアクセスとグラントフリーアクセスで共有フィールドを含むことができる。この場合、基地局装置１０がグラントフリーアクセスで上りリンクの物理チャネルを送信することを指示した場合、基地局装置１０及び端末装置２０は、前記共有フィールドに格納されたビット系列をグラントフリーアクセスのための設定（例えば、グラントフリーアクセスのために定義された参照テーブル）に従って解釈する。同様に、基地局装置１０がスケジュールドアクセスで上りリンクの物理チャネルを送信することを指示した場合、基地局装置１０及び端末装置２０は、前記共有フィールドをスケジュールドアクセスのために設定に従って解釈する。グラントフリーアクセスにおける上りリンクの物理チャネルの送信は、アシンクロナスデータ送信（Asynchronous data transmission）と称される。なお、スケジュールドにおける上りリンクの物理チャネルの送信は、シンクロナスデータ送信（Synchronous data transmission）と称される。
【００２９】
グラントフリーアクセスにおいて、端末装置２０は、上りリンクのデータを送信する無線リソースをランダムに選択するようにしてもよい。例えば、端末装置２０は、利用可能な複数の無線リソースの候補がリソースプールとして基地局装置１０から通知されており、該リソースプールからランダムに無線リソースを選択する。グラントフリーアクセスにおいて、端末装置２０が上りリンクのデータを送信する無線リソースは、基地局装置１０によって予め設定されてもよい。この場合、端末装置２０は、予め設定された前記無線リソースを用いて、ＵＬ  Ｇｒａｎｔを受信せずに、前記上りリンクのデータを送信する。前記無線リソースは、複数の上りリンクのマルチアクセスリソース（上りリンクのデータをマッピングすることができるリソース）から構成される。端末装置２０は、複数の上りリンクのマルチアクセスリソースから選択した１又は複数の上りリンクのマルチアクセスリソースを用いて、上りリンクのデータを送信する。なお、端末装置２０が上りリンクのデータを送信する前記無線リソースは、基地局装置１０及び端末装置２０で構成される通信システムにおいて予め決定されていてもよい。前記上りリンクのデータを送信する前記無線リソースは、基地局装置１０によって、物理報知チャネル（例えば、ＰＢＣＨ：Physical Broadcast Channel、ＮＲＰＢＣＨ：New Radio Physical Broadcast Channel）／無線リソース制御ＲＲＣ（Radio Resource Control）／システムインフォメーション（例えば、ＳＩＢ：System Information Block）／物理下りリンク制御チャネル（下りリンク制御情報、例えばＰＤＣＣＨ：Physical Downlink Control Channel、ＥＰＤＣＣＨ：Enhanced PDCCH、ＭＰＤＣＣＨ：MTC PDCCH、ＮＰＤＣＣＨ：Narrowband PDCCH、ＮＲＰＤＣＣＨ：New Radio PDCCH）を用いて、端末装置２０に通知されてもよい。
【００３０】
グラントフリーアクセスにおいて、前記上りリンクのマルチアクセスリソースは、マルチアクセスの物理リソースとマルチアクセス署名リソース（Multi Access Signature Resource）で構成される。前記マルチアクセスの物理リソースは、時間と周波数から構成さ
れるリソースである。マルチアクセスの物理リソースとマルチアクセス署名リソースは、
各端末装置が送信した上りリンクの物理チャネルを特定することに用いられうる。前記リソースブロックは、基地局装置１０及び端末装置２０が物理チャネル（例えば、物理データ共有チャネル、物理制御チャネル）をマッピングすることができる単位である。前記リソースブロックは、周波数領域において、1以上のサブキャリア（例えば、１２サブキャ
リア、１６サブキャリア）から構成される。
【００３１】
図２は、本実施形態に係る通信システムの無線フレーム構成例を示す図である。無線フレーム構成は、時間領域のマルチアクセスの物理リソースにおける構成を示す。１つの無線フレームは、複数のサブフレームから構成される。図２は、１つの無線フレームが１０個のサブフレームから構成される例である。端末装置２０は、リファレンスとなるサブキャリア間隔（リファレンスニューメロロジー）を持つ。前記サブフレームは、リファレンスとなるサブキャリア間隔において生成される複数のＯＦＤＭシンボルで構成される。図２は、１つのサブフレームが１４つのＯＦＤＭシンボルから構成される例である。
【００３２】
１つのスロットは、端末装置２０が上りリンクのデータ送信に用いるサブキャリア間隔において生成される複数のＯＦＤＭシンボルから構成される。図２は、１つのスロットが７つのＯＦＤＭシンボルから構成される例である。図２は、リファレンスとなるサブキャリア間隔と上りリンクのデータ送信に用いるサブキャリア間隔が同一である場合である。この場合、１つのサブフレームは複数のスロットから構成される。図２は、１つのサブフレームが２つのスロットから構成される例である。本実施形態に係る通信システムは、スロットを、端末装置２０が物理チャネル（例えば、物理データ共有チャネル、物理制御チャネル）をマッピングする最小単位としてもよい。この場合、前記マルチアクセスの物理リソースにおいて、１つのスロットが時間領域におけるリソースブロック単位となる。
【００３３】
１つのミニスロットは、端末装置２０が上りリンクのデータ送信に用いるサブキャリア間隔において生成される複数のＯＦＤＭシンボル（例えば、２つ、４つ）から構成される。ミニスロット長は、スロット長より短い。図２は、１つのミニスロットが２つのＯＦＤＭシンボルから構成される例である。基地局装置１０は、スロット／ミニスロットを構成するＯＦＤＭシンボル数を設定してもよい。基地局装置１０は、スロット／ミニスロットを構成するＯＦＤＭシンボル数をシグナリングし、端末装置２０に通知するようにしてもよい。本実施形態に係る通信システムは、ミニスロットを、端末装置２０が物理チャネル（例えば、物理データ共有チャネル、物理制御チャネル）をマッピングする最小単位としてもよい。この場合、前記マルチアクセスの物理リソースにおいて、１つのミニスロットが時間領域におけるリソースブロック単位となる。
【００３４】
マルチアクセス署名リソースは、複数のマルチアクセス署名群（マルチアクセス署名プールとも呼ばれる）のうち、少なくとも１つのマルチアクセス署名で構成される。マルチアクセス署名は、各端末装置が送信する上りリンクの物理チャネルを区別（同定）する特徴（目印、指標）を示す情報である。マルチアクセス署名は、空間多重パターン、拡散符号パターン（Ｗａｌｓｈ符号、ＯＣＣ；Orthogonal Cover Code、データ拡散用のサイク
リックシフト、スパース符号など）、インターリーブパターン、復調用参照信号パターン（参照信号系列、サイクリックシフト、ＯＣＣ、ＩＦＤＭ）／識別信号パターン、送信電力、等であり、これらの中の少なくとも一つが含まれる。グラントフリーアクセスにおいて、端末装置２０は、マルチアクセス署名プールから選択した１つ又は複数のマルチアクセス署名を用いて、上りリンクのデータを送信する。端末装置２０は、使用可能なマルチアクセス署名を基地局装置１０に通知することができる。基地局装置１０は、端末装置２０が上りリンクのデータを送信する際に使用するマルチアクセス署名を端末装置に通知することができる。基地局装置１０は、端末装置２０が上りリンクのデータを送信する際に使用可能なマルチアクセス署名群を端末装置２０に通知することができる。使用可能なマルチアクセス署名群は、報知チャネル／ＲＲＣ／システムインフォメーション／下りリン
ク制御チャネルを用いて、通知されてもよい。この場合、端末装置２０は、通知されたマルチアクセス署名群から選択したマルチアクセス署名を用いて、上りリンクのデータを送信することができる。
【００３５】
端末装置２０は、マルチアクセスリソースを用いて、上りリンクのデータを送信する。例えば、端末装置２０は、１つのマルチアクセスの物理リソースと拡散符号パターンなどからなるマルチキャリア署名リソースで構成されるマルチアクセスリソースに、上りリンクのデータをマッピングすることができる。端末装置２０は、１つのマルチアクセスの物理リソースとインターリーブパターンからなるマルチキャリア署名リソースで構成されるマルチアクセスリソースに、上りリンクのデータを割当てることもできる。端末装置２０は、１つのマルチアクセスの物理リソースと復調用参照信号パターン／識別信号パターンからなるマルチアクセス署名リソースで構成されるマルチアクセスリソースに、上りリンクのデータをマッピングすることもできる。端末装置２０は、１つのマルチアクセスの物理リソースと送信電力パターンからなるマルチアクセス署名リソースで構成されるマルチアクセスリソースに、上りリンクのデータをマッピングすることもできる（例えば、前記各上りリンクのデータの送信電力は、基地局装置１０において受信電力差が生じるように、設定されてもよい。）このようなグラントフリーアクセスにおいて、本実施形態の通信システムでは、複数の端末装置２０が送信した上りリンクのデータが、上りリンクのマルチアクセスの物理リソースにおいて、重複（衝突）して送信されること、を許容しても良い。
【００３６】
基地局装置１０は、グラントフリーアクセスにおいて、各端末装置によって送信した上りリンクのデータの信号を検出する。基地局装置１０は、前記上りリンクのデータ信号を検出するために、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ、逐次干渉キャンセラ；ＳＩＣや並列干渉キャンセラ；ＰＩＣとも呼称される）、ターボ等化、送信信号候補の中から最もそれらしいものを探索する最尤検出（ＭＬＤ：maximum likelihood detection、Ｒ−ＭＬＤ：Reduced complexity maximum likelihood detection）、干渉信号を線形演算によって抑圧するＥＭ
ＭＳＥ−ＩＲＣ（Enhanced Minimum Mean Square Error-Interference Rejection Combining）、メッセージパッシングによる信号検出（ＢＰ：Belief propagation）やマッチド
フィルタとＢＰを組み合わせたＭＦ（Matched Filter）−ＢＰなどを備えても良い。なお、以下では、グラントフリーアクセスにおいて、基地局装置１０が、ターボ等化等の高度な受信装置（Advanced Receiver）を適用して、非直交多重された上りリンクのデータ信
号を検出する場合で説明するが、上りリンクのデータ信号を検出できれば、これに限らない。例えば、ＭＲＣ（Maximal Ratio Combining）などのマッチドフィルタや干渉キャン
セラを用いない１−Ｔａｐ  ＭＭＳＥを用いてもよい。
【００３７】
図１において、スケジュールドアクセス／グラントフリーアクセスを用いる上りリンク無線通信では、以下の上りリンクの物理チャネルが含まれる。上りリンクの物理チャネルは、上位層から出力された情報を送信するために使用される。
・物理上りリンク制御チャネル
・物理上りリンク共有チャネル
・物理ランダムアクセスチャネル
物理上りリンク制御チャネル（例えば、ＰＵＣＣＨ：Physical Uplink Control Channel、ＮＲＰＵＣＣＨ：New Radio PUCCH）は、上りリンク制御情報（ＵＣＩ：Uplink Control Information）を送信するために用いられる物理チャネルである。
【００３８】
上りリンク制御情報は、下りリンクのデータ（下りリンクトランスポートブロック、Ｄ
Ｌ−ＳＣＨ：Downlink-Shared Channel）に対する肯定応答（positive acknowledgement
、ＡＣＫ）／否定応答（negative acknowledgement、ＮＡＣＫ）を含む。ＡＣＫ／ＮＡＣＫは、送達確認を示す信号、ＨＡＲＱ−ＡＣＫ、ＨＡＲＱフィードバックとも称される。なお、上りリンク制御情報は、スケジュールドアクセスをサポートする場合、ＳＲ（Scheduling Request）を含めることができる。
【００３９】
上りリンク制御情報は、下りリンクのチャネル状態情報（ＣＳＩ：Channel State Information）を含む。前記チャネル状態情報は、好適な空間多重数（レイヤ数）を示すラン
ク指標（ＲＩ：Rank Indicator）、好適なプレコーダを示すプレコーディング行列指標（ＰＭＩ：Precoding Matrix Indicator）、好適な伝送レートを指定するチャネル品質指標（ＣＱＩ：Channel Quality Indicator）などを含む。前記ＰＭＩは、端末装置２０によ
って決定されるコードブックを示す。該コードブックは、物理下りリンク共有チャネル（ＰＤＳＣＨ：Physical Downlink Shared Channel、ＮＲＰＤＳＣＨ：New Radio Physical
Downlink Shared Channel）のプレコーディングに関連する。前記ＣＱＩは、所定の帯域における好適な変調方式（例えば、ＢＰＳＫ（Binary Phase Shift Keying）、ＱＰＳＫ
（quadrature Phase Shift Keying）、１６ＱＡＭ（quadrature amplitude modulation）、６４ＱＡＭ、２５６ＱＡＭなど）、符号化率（coding rate）とすることができる。な
お、グラントフリーアクセスの場合、上りリンク制御情報を省略してもよい。
【００４０】
物理上りリンク共有チャネルは、上りリンクのデータ（上りリンクトランスポートブロック、UL-SCH）を送信するために用いられる物理チャネルである。物理上りリンク共有チャネルは、下りリンクのデータに対するＡＣＫ／ＮＡＣＫおよび／またはチャネル状態情報を送信するために用いられてもよい。物理上りリンク共有チャネルは、上りリンク制御情報を送信するために用いられてもよい。物理上りリンク共有チャネルは、上りリンクのデータに巡回冗長検査（ＣＲＣ:Cyclic Redundancy Check）を付加して生成してもよい。ＣＲＣは、端末装置２０の識別子（ＵＥ  ＩＤ：User Equipment Identifierとも呼ぶ。
）を表す系列を用いてスクランブル（排他的論理和演算、マスク、暗号化とも呼ぶ。）されてもよい。ＵＥ  ＩＤとして、Ｃ−ＲＮＴＩ（Cell - Radio Network Temporary Identifier）、Ｔｅｍｐｏｒａｒｙ  Ｃ−ＲＮＴＩ（Ｔ  Ｃ−ＲＮＴＩ）などを用いることが
できる。ＵＥ  ＩＤは、端末装置２０がセルアップデート手順により新しいセルにアクセスした時に、基地局装置１０によって、該端末装置２０に割り当てられうる。基地局装置１０は、各ＵＥ  ＩＤを、各端末装置に通知してもよい。ＵＥ  ＩＤは、ランダムアクセス手順におけるメッセージ２(ランダムアクセス応答、ＲＡＲ：Random Access Response)／メッセージ４(Contention Resolution)に含めることもできる。ＵＥ  ＩＤは、無線リ
ソース制御（ＲＲＣ：Radio Resource Control）メッセージに含めることもできる。
【００４１】
グラントフリーアクセスにおいて、前記ＵＥ  ＩＤは、上りリンクの物理チャネルの識別に用いられるパラメータ（例えば、参照信号／拡散符号／インターリーブパターン／送信電力制御の設定に関するパラメータ等）と関連付けられる。グラントフリーアクセスにおいて、前記ＵＥ  ＩＤは、マルチアクセス署名リソースに関するパラメータと関連付けられる。前記ＵＥ  ＩＤは、スケジュールドアクセスのための識別子と区別したグラントフリーアクセスのための識別子が定義されてもよい。
【００４２】
物理上りリンク共有チャネルは、ＲＲＣメッセージを送信するために用いられる。ＲＲＣメッセージは、無線リソース制御層において処理される情報／信号である。ＲＲＣメッセージは、端末装置２０のＵＥ  Ｃａｐａｂｉｌｉｔｙを含めることができる。ＵＥ  Ｃａｐａｂｉｌｉｔｙは、該端末装置２０がサポートする機能を示す情報である。物理上りリンク共有チャネルは、ＭＡＣ  ＣＥ（Control Element）を送信するために用いられる
。ＭＡＣ  ＣＥは、媒体アクセス制御（ＭＡＣ: Medium Access Control）層において処
理（送信）される情報／信号である。例えば、パワーヘッドルームは、ＭＡＣ  ＣＥに含
まれ、物理上りリンク共有チャネルを経由して報告されてもよい。すなわち、ＭＡＣ  ＣＥのフィールドが、パワーヘッドルームのレベルを示すために用いられる。上りリンクのデータは、ＲＲＣメッセージ、ＭＡＣ  ＣＥを含むことができる。
【００４３】
物理ランダムアクセスチャネル（例えば、ＰＲＡＣＨ：Physical Random Access Channel、ＮＲＰＲＡＣＨ：New Radio PRACH）は、ランダムアクセスに用いるプリアンブルを
送信するために用いられる。グラントフリーアクセスにおいて、物理ランダムアクセスチャネル（ランダムアクセスプロシージャ）は省略することができる。また、スケジュールドアクセスにおいてもスケジューリング要求を使用できる場合はランダムアクセスプロシージャを省略できる。
【００４４】
上りリンクの無線通信では、上りリンクの物理信号として上りリンク参照信号（Uplink
Reference Signal: UL RS）が用いられる。上りリンクの物理信号は、上位層から出力された情報を送信するためには使用されないが、物理層によって使用される。上りリンク参照信号には、復調用参照信号（ＤＭＲＳ： Demodulation Reference Signal）、サウンディング参照信号（ＳＲＳ： Sounding Reference Signal）が含まれる。
【００４５】
復調用参照信号は、物理上りリンク共有チャネルまたは物理上りリンク制御チャネルの送信に関連する。例えば、基地局装置１０は、物理上りリンク共有チャネルまたは物理上りリンク制御チャネルを復調する際の伝搬路補正を行うために復調用参照信号を使用する。復調用参照信号系列は、基地局装置１０のセルＩＤに関連付けて生成されうる。復調用参照信号系列は、サイクリックシフト及びＯＣＣ（Orthogonal Cover Code）を施して、
生成されうる。
【００４６】
基地局装置１０は、下りリンク制御チャネル／ＲＲＣを用いて、端末装置２０にサイクリックシフト量のパラメータｎ＿ＤＭＲＳと対応付けられたサイクリックシフトインデックスを通知することができる。ｎ＿ＤＭＲＳは下りリンク制御チャネルを用いて通知される設定パラメータとＲＲＣを用いて通知される設定パラメータから構成されうる。復調用参照信号の基本系列ｒ（ｎ）＿ｕ，ｖとして、Ｚａｄｏｆｆ−Ｃｈｕ系列が用いられる。ｒ（ｎ）＿ｕ，ｖは、セルＩＤを種(seed)としたＺａｄｏｆｆ−Ｃｈｕ系列とすることができる。基本系列ｒ（ｎ）＿ｕ，ｖは、ｎ＿ＤＭＲＳから得られるサイクリックシフト量のパラメータαに基づいてサイクリックシフトされる。例えば、パラメータαが１２個の値を持つ場合、サイクリックシフトされた基本系列ｒ（ｎ）＿ｕ，ｖ＾（α）が１２個生成されうる。
【００４７】
ＯＣＣ系列ｗは、サイクリックシフトされた基本系列ｒ（ｎ）＿ｕ，ｖ＾（α）に乗算される。復調用参照信号は、１又は複数のＯＦＤＭシンボルにマッピングされうる。ＯＣＣ系列ｗは、ＯＦＤＭシンボル毎（時間領域に対して）に乗算される。例えば、復調用参照信号が２つのＯＦＤＭシンボルに亘ってマッピングされる場合のＯＣＣ系列ｗ（ｍ）のパターン（ｍ＝０、１）は、［１  １］、［１  −１］の２つである。ｗ＝［１  −１］（すなわち、ｗ（０）＝１、ｗ（１）＝−１）が選択された場合、第１のＯＦＤＭシンボルにおけるＭ＿ＳＣ＾ＲＳ個のサブキャリアにマッピングされた系列には１が乗算され、第２のＯＦＤＭシンボルにおけるＭ＿ＳＣ＾ＲＳ個のサブキャリアにマッピングされた系列には−１が乗算される。ＯＣＣ系列ｗ（ｍ）のパターンは、ＯＣＣインデックスと対応付けられる。基地局装置１０は、下りリンク制御チャネル／ＲＲＣを用いて、ＯＣＣインデックスを端末装置２０に通知することができる。例えば、式（１）において、系列長２のＯＣＣが用いられる場合、１つの基本系列から最大２４個の復調用参照信号系列が生成されうる。なお。前記ｗ（ｍ）は、サイクリックシフトインデックスと対応付けて、通知されてもよい。なお、復調用参照信号系列ｒは、レイヤ毎に生成されてもよい。
【００４８】
復調用参照信号系列は、周波数領域に対して拡散符号系列を乗算してもよい。例えば、各ＯＦＤＭシンボルのＭ＿ＳＣ＾ＲＳ個のサブキャリアにマッピングされた系列に対して拡散符号系列を乗算する。該拡散符号系列は、物理上りリンク共有チャネルに乗算される拡散符号系列と同一である。サウンディング参照信号は、物理上りリンク共有チャネルまたは物理上りリンク制御チャネルの送信に関連しない。例えば、基地局装置１０は、上りリンクのチャネル状態を測定（CSI Measurement）するためにサウンディング参照信号を
使用する。
【００４９】
図１において、スケジュールドアクセス／グラントフリーアクセスを用いる下りリンクの無線通信では、以下の下りリンクの物理チャネルが用いられる。下りリンクの物理チャネルは、上位層から出力された情報を送信するために使用される。
・物理報知チャネル
・物理下りリンク制御チャネル
・物理下りリンク共有チャネル
物理報知チャネルは、端末装置２０で共通に用いられるマスターインフォメーションブロック（Master Information Block: MIB, Broadcast Channel: BCH）を報知するために
用いられる。ＭＩＢは、システム情報である。物理報知チャネルは、ブロードキャストするシステム制御情報を含む。例えば、物理報知チャネルは、下りリンクシステム帯域、システムフレーム番号（ＳＦＮ：System Frame Number）、基地局装置１０によって使用さ
れる送信アンテナ数などの情報を含む。物理報知チャネルは、再送要求指示を含むチャネル（ハイブリッド自動再送要求指示を含む、例えば、ＰＨＩＣＨ：Physical Hybrid ARQ Indicator Channel、ＮＲＰＨＩＣＨ：New Radio PHICH）の設定情報を含めてもよい。物理報知チャネルは、グラントフリーアクセスをサポートする基地局装置１０か否かを示す情報を含めてもよい。物理報知チャネルは、グラントフリーアクセスに関する設定情報の一部又は全部を含めてもよい。
【００５０】
物理下りリンク制御チャネルは、下りリンク制御情報（ＤＣＩ：Downlink Control Information）を送信するために用いられる。下りリンク制御情報は、用途に基づいた複数のフォーマット（ＤＣＩフォーマットとも称する）が定義される。各フォーマットは、用途に応じて使われる。下りリンク制御情報は、下りリンクのデータ送信のための制御情報と上りリンクのデータ送信のための制御情報を含む。下りリンク制御情報は、上りリンクのデータ（物理上りリンク共有チャネル）の再送に関する情報を含むことができる。
【００５１】
下りリンクのデータ送信のためのＤＣＩフォーマットは、物理下りリンク共有チャネルのスケジューリングに用いられる。下りリンクのデータ送信のためのＤＣＩフォーマットを、下りリンクグラント（または、下りリンクアサインメント）とも称する。下りリンクのデータ送信のためのＤＣＩフォーマットには、物理下りリンク共有チャネルのリソース割り当てに関する情報、物理下りリンク共有チャネルに対するＭＣＳ（Modulation and Coding Scheme）に関する情報などの下りリンク制御情報が含まれる。下りリンクのデータ送信のためのＤＣＩフォーマットは、物理上りリンクチャネル（例えば、物理上りリンク制御チャネル、物理上りリンク共有チャネル）に対する送信電力制御（ＴＰＣ：Transmission Power Control）を含めてもよい。下りリンクのデータ送信のためのＤＣＩフォーマットは、グラントフリーアクセスに関する設定情報の一部又は全部を含めてもよい。
【００５２】
上りリンクのデータ送信のためのＤＣＩフォーマットは、物理上りリンク共有チャネルの送信に関する制御情報を端末装置２０に通知するために用いられる。上りリンクのデータ送信のためのＤＣＩフォーマットは、物理上りリンク共有チャネルのＭＣＳに関する情報、上りリンクのデータ（物理上りリンク共有チャネル）の再送に関する情報、復調用参照信号のためのサイクリックシフトに関する情報、物理上りリンクチャネルに対する送信電力制御、下りリンクのチャネル状態情報（ＣＳＩ：Channel State Information、受信
品質情報とも称する。）要求（CSI request）、など上りリンク制御情報を含むことがで
きる。上りリンクのデータ送信のためのＤＣＩフォーマットは、端末装置２０が使用可能なマルチアクセスリソース／使用可能なマルチアクセス署名リソース（使用可能なマルチアクセス署名群、使用可能なマルチアクセス署名）を含むことができる。上りリンクのデータ送信のためのＤＣＩフォーマットは、グラントフリーアクセスに関する設定情報の一部又は全部を含めてもよい。グラントフリーアクセスに関する設定情報を通知するためのグラントフリーアクセス固有のＤＣＩフォーマットが定義されてもよい。なお、上りリンクのデータ送信のためのＤＣＩフォーマットに含まれる１又は複数の情報は、下りリンクのデータ送信のためのＤＣＩフォーマットに含めることもできる。
【００５３】
物理下りリンク制御チャネルは、下りリンク制御情報に巡回冗長検査（ＣＲＣ:Cyclic Redundancy Check）を付加して生成される。物理下りリンク制御チャネルにおいて、ＣＲＣは、端末装置２０の識別子（ＵＥ  ＩＤ）を用いてスクランブルされる。例えば、ＣＲＣは、セル無線ネットワーク一時的識別子（Ｃ−ＲＮＴＩ：Cell- Radio Network Temporary Identifier）を用いて、スクランブルされる。
【００５４】
物理下りリンク共有チャネルは、下りリンクのデータ（下りリンクトランスポートブロック、DL-SCH）を送信するために用いられる。物理下りリンク共有チャネルは、システムインフォメーションメッセージ（ＳＩＢ：System Information Block）を送信するために用いられる。システムインフォメーションメッセージは、グラントフリーアクセス固有なシステムインフォメーションブロックを含めてもよい。例えば、グラントフリーアクセス固有なシステムインフォメーションブロックは、グラントフリーアクセスを行うマルチアクセスの物理リソース（時間と周波数帯域から構成されるリソース）／マルチアクセス署名群／マルチアクセス署名の設定情報を含むことができる。グラントフリーアクセス固有なシステムインフォメーションブロックは、上りリンクのデータの識別に用いられるパラメータ（例えば、参照信号／拡散符号／インターリーブパターン／送信電力制御の設定に関するパラメータ等）を含むこともできる。なお、システムインフォメーションメッセージの一部又は全部は、ＲＲＣメッセージに含めることができる。
【００５５】
物理下りリンク共有チャネルは、ＲＲＣメッセージを送信するために用いられる。基地局装置１０から送信されるＲＲＣメッセージは、セル内における複数の端末装置２０に対して共通（セル固有）であってもよい。セル内の端末装置２０に共通な情報は、セル固有のＲＲＣメッセージを使用して送信されうる。基地局装置１０から送信されるＲＲＣメッセージは、ある端末装置２０に対して専用のメッセージ（dedicated signalingとも称す
る）であってもよい。端末装置スペシフィック（ユーザ固有）な情報は、ある端末装置２０に対して専用のメッセージを使用して送信されうる。
【００５６】
ＲＲＣメッセージは、グラントフリーアクセスに関する設定情報のためのメッセージ（グラントフリーアクセス設定アシスト情報とも呼ばれる）を含むことができる。例えば、ＲＲＣメッセージは、グラントフリーアクセスを行うマルチアクセスの物理リソース（時間と周波数帯域から構成されるリソース）／マルチアクセス署名群／マルチアクセス署名の設定情報を含むことができる。ＲＲＣメッセージは、上りリンクのデータの識別に用いられるパラメータ（例えば、参照信号／拡散符号／インターリーブパターン／送信電力制御の設定に関するパラメータ等）を含むこともできる。ＲＲＣメッセージは、グラントフリーアクセス専用のメッセージであってもよい。グラントフリーアクセス固有な情報は、グラントフリーアクセス専用のメッセージを用いて送信されるようにしてもよい。
【００５７】
物理下りリンク共有チャネルは、ＭＡＣ  ＣＥを送信するために用いられる。ＲＲＣメッセージおよび／またはＭＡＣ  ＣＥを、上位層の信号（higher layer signaling）とも称する。
【００５８】
物理下りリンク共有チャネルは、巡回冗長検査（ＣＲＣ:Cyclic Redundancy Check）を付加して生成される。ＣＲＣは、端末装置２０の識別子（ＵＥ  ＩＤ）を用いてスクランブルされる。下りリンクの物理チャネル（物理下りリンク共有チャネル、物理下りリンク制御チャネル）において、ＣＲＣをスクランブルするために用いられる識別子は、スケジュールドアクセスのための識別子と区別したグラントフリーアクセスのための識別子が定義されてもよい。例えば、下りリンクの物理チャネルがスケジュールドアクセスを用いて送信され、上りリンクの物理チャネルがグラントフリーアクセスを用いて送信される場合、上りリンクと下りリンクで異なる識別子を用いてもよい。
【００５９】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６０】
同期信号は、端末装置２０が、下りリンクの周波数領域および時間領域の同期を取るために用いられる。同期には、サブフレーム同期やＦＦＴ（Fast Fourier  Transform）ウ
ィンドウ同期が含まれうる。下りリンク参照信号は、端末装置２０が、下りリンクの物理チャネルの伝搬路補正を行なうために用いられる。例えば、下りリンク参照信号は、物理報知チャネル、物理下りリンク共有チャネル、物理下りリンク制御チャネルを復調するために用いられる。下りリンク参照信号は、端末装置２０が、下りリンクのチャネル状態情報を算出（ｍｅａｓｕｒｅｍｅｎｔ）するために用いることもできる。また、各種チャネルを復調するために用いられる参照信号とｍｅａｓｕｒｅｍｅｎｔするために用いられる参照信号は異なってもよい（例えば、ＬＴＥにおけるＤＭＲＳ：Demodulation Reference
SignalとＣＲＳ：Cell-specific Reference Signal、ＣＳI-ＲＳ：Channel state information Reference Signal、ＤＲＳ：Discovery Reference Signalなど）。
【００６１】
下りリンクの物理チャネルおよび下りリンク物理信号を総称して、下りリンク信号とも称する。また、上りリンクの物理チャネルおよび上りリンクの物理信号を総称して、上りリンク信号とも称する。また、下りリンクの物理チャネルおよび上りリンクの物理チャネルを総称して、物理チャネルとも称する。また、下りリンク物理信号および上りリンクの物理信号を総称して、物理信号とも称する。
【００６２】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００６３】
図３は、本実施形態に係る端末装置２０の構成を示す概略ブロック図である。端末装置２０は、受信アンテナ２０２、受信部（受信ステップ）２０４、上位層処理部（上位層処理ステップ）２０６、制御部（制御ステップ）２０８、送信部（送信ステップ）２１０、送信アンテナ２１２を含んで構成される。受信部２０４は、無線受信部（無線受信ステップ）２０４０、ＦＦＴ部２０４１（ＦＦＴステップ）、多重分離部（多重分離ステップ）２０４２、復調部（復調ステップ）２０４４、復号部（復号ステップ）２０４６を含んで構成される。送信部２１０は、符号化部（符号化ステップ）２１００、変調部（変調ステップ）２１０２、ＤＦＴ部（ＤＦＴステップ）２１０４、多元接続処理部（多元接続処理ステップ）２１０６、多重部（多重ステップ）２１０８、無線送信部（無線送信ステップ
）２１１０、ＩＦＦＴ部（ＩＦＦＴステップ）２１０９、上りリンク参照信号生成部（上りリンク参照信号生成ステップ）２１１２を含んで構成される。
【００６４】
受信部２０４は、受信アンテナ２０２を介して基地局装置１０からの受信した下りリンク信号（下りリンクの物理チャネル、下りリンク物理信号）を多重分離、復調、復号する。受信部２０４は、受信信号から分離した制御チャネル（制御情報）を制御部２０８に出力する。受信部２０４は、復号結果を上位層処理部２０６に出力する。受信部２０４は、前記受信信号に含まれる上りリンクの物理チャネル及び上りリンク参照信号の設定に関する情報（上りリンク送信に関する設定情報と呼ぶ）を取得する。上りリンク送信に関する設定情報は、グラントフリーアクセスに関する設定情報を含む。下りリンク信号は、端末装置２０のＵＥ  ＩＤを含むこともできる。
【００６５】
無線受信部２０４０は、受信アンテナ２０２を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４０は、変換したディジタル信号からＣＰ（Cyclic Prefix）に相当する部
分を除去する。ＦＦＴ部２０４１はＣＰを除去した下りリンク信号に対して高速フーリエ変換を行い（ＯＦＤＭ変調に対する復調処理）、周波数領域の信号を抽出する。
【００６６】
多重分離部２０４２は、前記抽出した周波数領域の下りリンク信号に含まれる下りリンクの物理チャネル（物理下りリンク制御チャネル、物理下りリンク共有チャネル、物理報知チャネル、等）、下りリンク参照信号等を、分離抽出する。多重分離部２０４２は、下りリンク参照信号を用いたチャネル測定機能（チャネル測定部）を含む。多重分離部２０４２は、前記チャネル測定結果を用いた下りリンク信号のチャネル補償機能（チャネル補償部）を含む。多重分離部は、物理下りリンクチャネルを復調部２０４４／制御部２０８に出力する。
【００６７】
復調部２０４４は、各下りリンクの物理チャネルの変調シンボルそれぞれに対して、ＢＰＳＫ、ＱＰＳＫ、１６ＱＡＭ、６４ＱＡＭ、２５６ＱＡＭ等の予め定められた、または下りリンクグラントで予め通知した変調方式を用いて受信信号の復調を行なう。
【００６８】
復号部２０４６は、復調された各下りリンクの物理チャネルの符号化ビットを、予め定められた符号化方式の、予め定められた、又は下りリンクグラントで予め通知した符号化率で復号を行ない、復号した下りリンクのデータ／下りリンク受信に関する設定情報／上りリンク送信に関する設定情報を上位層処理部２０６へ出力する。
【００６９】
制御部２０８は、下りリンクの物理チャネル（物理下りリンク制御チャネル、物理下りリンク共有チャネル等）に含まれる下りリンク受信に関する設定情報／上りリンク送信に関する設定情報を用いて、受信部２０４及び送信部２１０の制御を行う。上りリンク送信に関する設定情報は、グラントフリーアクセスに関する設定情報を含むことができる。制御部２０８は、前記グラントフリーアクセスに関する設定情報に含まれるマルチアクセスリソース（マルチアクセスの物理リソース／マルチアクセス署名リソース）に関する設定情報に従って、上りリンク参照信号生成部２１１２及び多元接続処理部２１０６を制御する。図３において、制御部２０８は、前記グラントフリーアクセスに関する設定情報から算出される復調用参照信号／識別信号の生成に用いられるパラメータやマルチアクセス署名リソースに従って、上りリンク参照信号生成部２１１２及び多元接続処理部２１０６を制御する。制御部２０８は、前記下りリンク受信に関する設定情報／上りリンク送信に関する設定情報を受信部２０４／上位層処理部２０６から取得する。下りリンク受信に関する設定情報／上りリンク送信に関する設定情報は、下りリンクの物理チャネルに含まれる
下りリンク制御情報（ＤＣＩ）から取得されうる。下りリンク受信に関する設定情報／上りリンク送信に関する設定情報は、下りリンクの物理チャネルに含まれる下りリンク制御情報（ＤＣＩ）から取得されうる。前記グラントフリーアクセスに関する設定情報は、前記物理下りリンク制御チャネル／物理下りリンク共有チャネル／報知チャネルに含まれうる。下りリンクの物理チャネルは、グラントフリーアクセス専用の物理チャネルを含んでも良い。この場合、前記グラントフリーアクセスに関す設定情報の一部又は全部は、グラントフリーアクセス専用の物理チャネルから取得されうる。なお、送信部２１０が物理上りリンク制御チャネルを送信する場合、制御部２０８は、上りリンク制御情報（ＵＣＩ：Uplink Control information）を生成し、送信部２１０に出力する。なお、制御部１０８の機能の一部は、上位層処理部１０２に含めることができる。なお、送信部２１０が物理上りリンク制御チャネルを送信する場合、ＤＦＴの適用有無の切り替えを制御部２０８によって行っても良い。なお、制御部２０８はデータ信号に付加するＣＰの長さのパラメータに従って、送信部２１０を制御しても良い。制御部２０８は、グラントフリーアクセスとスケジュールドアクセスで異なるＣＰの長さとしても良く、例えばグラントフリーアクセスの場合にＣＰを長くしても良い。また、制御部２０８は、前記グラントフリーアクセスに関する設定情報に含まれるＣＰの長さのパラメータに従って、送信部２１０を制御しても良い。なお、ＤＦＴを適用する場合に、ＤＦＴに入力前の信号列の先頭／後方にゼロを挿入するＺｅｒｏ−Ｔａｉｌ  ＤＦＴＳ−ＯＦＤＭの信号波形を用いても良い。また、ＤＦＴを適用する場合に、ＤＦＴに入力前の信号列の先頭／後方にＺａｄｏｆｆ−Ｃｈｕ系列などの特定の系列を挿入するＵＷ−ＤＦＴＳ−ＯＦＤＭの信号波形を用いても良い。ＤＦＴＳ−ＯＦＤＭは、所定の搬送波周波数より低い場合に使用し、Ｚｅｒｏ−Ｔａｉｌ
ＤＦＴＳ−ＯＦＤＭ／ＵＷ−ＤＦＴＳ−ＯＦＤＭは、所定の搬送波周波数より高い場合に使用しても良い。
【００７０】
制御部２０８は、受信部２０４で検出したグラントフリーアクセスに用いるリソースに関する情報を送信部２１０に入力する。グラントフリーアクセスに用いるリソースに関する情報は、物理下りリンク制御チャネル／物理下りリンク共有チャネル／報知チャネルで通知される。グラントフリーアクセスに用いるリソースに関する情報の詳細は後述する。
【００７１】
上位層処理部２０６は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０６は、自端末装置がサポートしている端末装置の機能（UE capability）に関する情報を送信部２１０に出力する。例えば、上位層処理部２０６は、
前記端末装置の機能に関する情報をＲＲＣ層でシグナリングする。
【００７２】
前記端末装置の機能に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７３】
前記端末装置の機能に関する情報は、グラントフリーアクセスをサポートすることを示す情報を含む。グラントフリーアクセスに対応する機能が複数ある場合、上位層処理部２０６は、機能毎にサポートするかどうかを示す情報を送信することができる。グラントフ
リーアクセスをサポートすることを示す情報は、自端末装置がサポートしているマルチアクセスの物理リソース、マルチアクセス署名リソースを示す情報を含む。グラントフリーアクセスをサポートすることを示す情報は、前記マルチアクセスの物理リソース、マルチアクセス署名リソースの設定のための参照テーブルの設定を含んでもよい。グラントフリーアクセスをサポートすることを示す情報は、アンテナポート、スクランブリングアイデンティティ及びレイヤ数を示す複数のテーブルに対応している能力、所定数のアンテナポート数に対応している能力、所定の送信モードに対応している能力の一部又は全部を含んでも良い。送信モードは、アンテナポート数、送信ダイバーシチ、レイヤ数、グラントフリーアクセスのサポート等の有無により定められる。
【００７４】
上位層処理部２０６は、自端末装置の各種設定情報の管理をする。前記各種設定情報の一部は、制御部２０８に入力される。各種設定情報は、受信部２０４を介して下りリンクの物理チャネルを用いて、基地局装置１０から受信される。前記各種設定情報は、受信部２０４から入力されたグラントフリーアクセスに関する設定情報を含む。前記グラントフリーアクセスに関する設定情報は、マルチアクセスリソース（マルチアクセスの物理リソース、マルチアクセス署名リソース）の設定情報を含む。例えば、上りリンクのリソースブロック設定（リソースブロック当たりのＯＦＤＭシンボル数／サブキャリア数）、復調用参照信号／識別信号の設定（参照信号系列、サイクリックシフト、マッピングされるＯＦＤＭシンボル等）、拡散符号設定（Ｗａｌｓｈ符号、ＯＣＣ；Orthogonal Cover Code
、スパース符号やこれらの拡散符号の拡散率など）、インターリーブ設定、送信電力設定、送受信アンテナ設定、送受信ビームフォーミング設定、等のマルチアクセス署名リソースに関する設定（端末装置２０が送信した上りリンクの物理チャネルを同定するための目印に基づいて施される処理に関する設定）が含まれうる。これらのマルチアクセス署名リソースは、直接的又は間接的に、関連付けられてもよい（結び付けられてもよい）。マルチアクセス署名リソースの関連付けは、マルチアクセス署名プロセスインデックスによって示される。また、前記グラントフリーアクセスに関する設定情報には、前記マルチアクセスの物理リソース、マルチアクセス署名リソースの設定のための参照テーブルの設定が含まれてもよい。前記グラントフリーアクセスに関する設定情報は、グラントフリーアクセスのセットアップ、リリースを示す情報、上りリンクのデータ信号に対するＡＣＫ／ＮＡＣＫの受信タイミング情報、上りリンクのデータ信号の再送タイミング情報などを含めてもよい。
【００７５】
上位層処理部２０６は、グラントフリーアクセスに関する設定情報に基づいて、グラントフリーで上りリンクのデータ（トランスポートブロック）を送信するマルチアクセスリソース（マルチアクセスの物理リソース、マルチアクセス署名リソース）を管理する。上位層処理部２０６は、グラントフリーアクセスに関する設定情報に基づき、送信部２１０を制御するための情報を制御部２０８に出力する。上位層処理部２０６は、受信部２０４／制御部２０８から自端末装置のＵＥ  ＩＤを取得する。前記ＵＥ  ＩＤは、グラントフリーアクセスに関する設定情報に含めることもできる。
【００７６】
上位層処理部２０６は、ユーザの操作等によって生成された上りリンクのデータ（例えば、ＤＬ−ＳＣＨ）を、送信部２１０に出力する。上位層処理部２０６は、ユーザの操作を介さず（例えば、センサにより取得されたデータ）に生成された上りリンクのデータを、送信部２１０に出力することもできる。前記上りリンクのデータには、ＵＥ  ＩＤを格納するフィールドを有しても良い。上位層処理部２０６は、前記上りリンクのデータにＣＲＣを付加する。前記ＣＲＣのパリティビットは、前記上りリンクのデータを用いて生成される。前記ＣＲＣのパリティビットは、自端末装置に割当てられたＵＥ  ＩＤでスクランブル（排他的論理和演算、マスク、暗号化とも呼ぶ）される。前記ＵＥ  ＩＤは、グラントフリーアクセスにおける端末装置固有の識別子を用いてもよい。
【００７７】
送信部２１０は、送信する上りリンクのデータが発生した場合、基地局装置１０から送信されたグラントフリーアクセスに関する設定情報に基づいて、ＵＬ  Ｇｒａｎｔの受信なしで、物理上りリンク共有チャネルを送信する。送信部２１０は、制御部２０８から入力されたグラントフリーアクセスに関する設定に従って、物理上りリンク共有チャネル及びそれに関連付けられた復調用参照信号／識別信号を生成する。
【００７８】
符号化部２１００は、予め定められた／制御部２０８が設定した符号化方式を用いて、上位層処理部２０６から入力された上りリンクのデータを符号化する（リピティションを含む）。符号化方式は、畳み込み符号化、ターボ符号化、ＬＤＰＣ（Low Density Parity
Check）符号化、Ｐｏｌａｒ符号化、等を適用することができる。データ送信ではＬＤＰＣ符号、制御情報の送信ではＰｏｌａｒ符号を用い、使用する上りリンクのチャネルによって異なる誤り訂正符号化を用いても良い。また、送信するデータや制御情報のサイズによって異なる誤り訂正符号化を用いても良く、例えばデータサイズが所定の値よりも小さい場合には畳み込み符号を用い、それ以外は前記の訂正符号化を用いても良い。前記符号化は、符号化率１／３に加え、低い符号化率１／６や１／１２などのマザーコードを用いてもよい。また、マザーコードより高い符号化率を用いる場合には、レートマッチング（パンクチャリング）によりデータ伝送に用いる符号化率を実現しても良い。変調部２１０２は、符号化部２１００から入力された符号化ビットをＢＰＳＫ、ＱＰＳＫ、１６ＱＡＭ、６４ＱＡＭ、２５６ＱＡＭ等（π／２シフトＢＰＳＫ、π／２シフトＱＰＳＫも含んでもよい）の下りリンク制御情報で通知された変調方式または、チャネル毎に予め定められた変調方式で変調する。
【００７９】
多元接続処理部２１０６は、変調部２１０２から出力される系列に対して、制御部２０８から入力されるマルチアクセス署名リソースに従って、複数のデータが多重されても基地局装置１０が信号の検出が可能なように信号を変換する。マルチアクセス署名リソースが拡散の場合は、拡散符号系列の設定に従って拡散符号系列を乗算する。前記拡散符号系列の設定は、前記復調用参照信号／識別信号などの他のグラントフリーアクセスに関する設定と関連付けられても良い。なお、多元接続処理は、ＤＦＴ処理後の系列に対して行ってもよい。なお、多元接続処理部２１０６は、マルチアクセス署名リソースとしてインターリーブが設定された場合、前記多元接続処理部２１０６は、インターリーブ部に置換えることができる。インターリーブ部は、ＤＦＴ部から出力される系列に対して、制御部２０８から入力されるインターリーブパターンの設定に従ってインターリーブ処理を行う。マルチアクセス署名リソースとして符号拡散及びインターリーブが設定された場合、送信部２１０は、多元接続処理部２１０６は拡散処理とインターリーブを行う。その他のマルチアクセス署名リソースが適用された場合でも、同様であり、スパース符号などを適用しても良い。
【００８０】
多元接続処理部２１０６は、信号波形をＤＦＴＳ−ＯＦＤＭとするか、ＯＦＤＭとするかによって、多元接続処理後の信号をＤＦＴ部２１０４もしくは多重部２１０８に入力する。信号波形をＤＦＴＳ−ＯＦＤＭとする場合、ＤＦＴ部２１０４は、多元接続処理部２１０６から出力される多元接続処理後の変調シンボルを並列に並び替えてから離散フーリエ変換（Discrete Fourier Transform: DFT）処理をする。ここで，前記変調シンボルに
ゼロのシンボル列を付加して、ＤＦＴを行うことでＩＦＦＴ後の時間信号にＣＰの代わりにゼロ区間を使う信号波形としても良い。また、変調シンボルにＧｏｌｄ系列やＺａｄｏｆｆ−Ｃｈｕ系列などの特定の系列を付加して、ＤＦＴを行うことでＩＦＦＴ後の時間信号にＣＰの代わりに特定パターンを使う信号波形としても良い。信号波形をＯＦＤＭとする場合は、ＤＦＴを適用しないため、多元接続処理後の信号を多重部２１０８に入力する。制御部２０８は、前記グラントフリーアクセスに関する設定情報に含まれる前記ゼロのシンボル列の設定（シンボル列のビット数など）、前記特定の系列の設定（系列の種(seed)、系列長など）を用いて、制御する。
【００８１】
上りリンク参照信号生成部２１１２は、制御部２０８から入力される復調用参照信号の設定情報に従って、復調用参照信号を生成する。前記復調用参照信号／識別信号の設定情報は、グラントフリーアクセスに関す設定（マルチアクセスの物理リソース／マルチアクセス署名リソースに関する設定）と関連付けられても良い。復調用参照信号／識別信号の設定情報は、基地局装置１０を識別するための物理セル識別子（physical cell identity: PCI、Cell IDなどと称される）、上りリンク参照信号をマッピングするサブキャリア数（帯域幅）、ＯＦＤＭシンボル数、サイクリックシフト、ＯＣＣ系列等のなどを基に、予め定められた規則（例えば、式（１））で求まる系列を生成する。
【００８２】
多重部２１０８は、上りリンクの物理チャネル（ＤＦＴ部２１０４の出力信号）、上りリンク参照信号を送信アンテナポート毎に多重（マッピング）する。多重部２１０８は、上りリンクの物理チャネル、上りリンク参照信号を送信アンテナポート毎にリソースエレメントに配置する。多重部２１０８は、ＳＣＭＡを用いる場合、制御部２０８から入力されるＳＣＭＡリソースパターンに従って、前記上りリンクの物理チャネルをリソースエレメントに配置する。前記ＳＣＭＡリソースパターンは、前記グラントフリーアクセスに関する設定情報に含まれ得る。
【００８３】
ＩＦＦＴ部２１０９は多重された信号を逆高速フーリエ変換（Inverse Fast Fourier  Transform: IFFT）して、ＤＦＴＳ−ＯＦＤＭ（ＳＣ−ＦＤＭＡ）方式もしくはＯＦＤＭ
方式の変調を行い、ＳＣ−ＦＤＭＡシンボルもしくはＯＦＤＭシンボルを生成する。無線送信部２１１０は、前記ＳＣ−ＦＤＭＡシンボルにＣＰを付加し、ベースバンドのディジタル信号を生成する。さらに、無線送信部２１１０は、前記ベースバンドのディジタル信号をアナログ信号に変換し、余分な周波数成分を除去し、アップコンバートにより搬送周波数に変換し、電力増幅し、送信アンテナ２１２を介して基地局装置１０に送信する。無線送信部２１１０は、送信電力制御機能（送信電力制御部）を含む。前記送信電力制御は、制御部２０８から入力される送信電力の設定情報に従う。前記送信電力の設定情報は、前記グラントフリーアクセスに関す設定情報と関連付けられている。なお、ＦＢＭＣ、ＵＦ−ＯＦＤＭ、Ｆ−ＯＦＤＭが適用される場合、前記ＳＣ−ＦＤＭＡシンボル（又はＯＦＤＭシンボル）に対して、サブキャリア単位又はサブバンド単位でフィルタ処理が行われる。
【００８４】
前記端末装置２０は、グラントフリーアクセスのデータ送信において、長い遅延が許容されるデータ、非常に高い信頼性は不要なデータの少なくとも一つを満たすｍＭＴＣ用のデータ送信（以下、ｍＭＴＣ送信モードと呼称する）と、低遅延かつ高信頼が要求されるＵＲＬLＣ用のデータ送信（以下、ＵＲＬＬＣ送信モードと呼称する）のうち、少なくと
も一方が可能である。また、ｍＭＴＣ送信モードは長い遅延が許容されるデータの送信、ＵＲＬＬＣ送信モードは低遅延が要求されるデータの送信としても良い。ｍＭＴＣ送信モードやＵＲＬＬＣ送信モードは、ｍＭＴＣの設定情報（パラメータ、コンフィグレーション情報）に基づくデータ送信、ＵＲＬＬＣの設定情報（パラメータ、コンフィグレーション情報）に基づくデータ送信であっても良い。ｍＭＴＣとＵＲＬＬＣの設定情報は、データサイズ、再送回数、データ伝送に使用する帯域幅、送信電力のパラメータ、データフォーマット、１回のデータ送信で使うＯＦＤＭシンボル数、サブキャリア間隔、データ伝送に使用する搬送波周波数、データ送信に使用するアンテナポート数／物理的なアンテナ数、データ送信に用いる変調多値数や符号化率、誤り訂正符号化方式の少なくとも１つが送信モード毎に設定されても良く、いずれかの設定情報が送信モード毎に通知されれば、同一の設定値でも異なる設定値でも良い。ｍＭＴＣ送信モードやＵＲＬＬＣ送信モードは、ｍＭＴＣ用の専用の物理リソースでのデータ送信、ＵＲＬＬＣ用の専用の物理リソースでのデータ送信であっても良い。ｍＭＴＣ送信モードやＵＲＬＬＣ送信モードは、ｍＭＴＣ用の専用のマルチアクセス署名リソースでのデータ送信、ＵＲＬＬＣ用の専用のマルチア
クセス署名リソースでのデータ送信であっても良い。
【００８５】
図４に本実施形態に係るグラントフリーアクセスにおける基地局装置及び端末装置間のシーケンス例を示す図である。基地局装置１０は、下りリンクにおいて、同期信号、報知チャネルを所定の無線フレームフォーマットに従って、定期的に送信する。端末装置２０は、同期信号、報知チャネル等を用いて、初期接続を行う（Ｓ１０１）。端末装置２０は、同期信号を用いて、下りリンクにおけるフレーム同期、シンボル同期を行う。前記報知チャネルにグラントフリーアクセスに関する設定情報が含まれている場合、端末装置２０は、接続したセルにおけるグラントフリーアクセスに関する設定を取得する。基地局装置１０は、初期接続において、各端末装置２０にＵＥ  ＩＤを通知することができる。
【００８６】
端末装置２０は、ＵＥ  Ｃａｐａｂｉｌｉｔｙを送信する（Ｓ１０２）。基地局装置１０は、前記ＵＥ  Ｃａｐａｂｉｌｉｔｙを用いて、端末装置２０がグラントフリーアクセスをサポートしているか、を特定することができる。なお、Ｓ１０１〜Ｓ１０３において、端末装置２０は、上りリンク同期やＲＲＣ接続要求のためのリソースを取得するために、物理ランダムアクセスチャネルを送信することができる。
【００８７】
基地局装置１０は、ＲＲＣメッセージ、ＳＩＢ等を用いて、グラントフリーアクセスに関する設定情報を端末装置２０の各々に送信する（Ｓ１０３）。グラントフリーアクセスに関する設定情報は、マルチアアクセス署名リソースの割当てを含む。グラントフリーアクセスに関する設定情報を受信した端末装置２０は、上りリンクのデータに施されるマルチアクセス署名リソースなどの送信パラメータを取得する。なお、前記グラントフリーアクセスに関する設定情報の一部又は全部は、下りリンク制御情報によって、通知されてもよい。
【００８８】
グラントフリーアクセスをサポートする端末装置２０は、上りリンクのデータが発生した場合、自端末に割当てられた復調用参照信号を生成する。さらに、前記復調用参照信号とマルチアクセス署名リソースは関連付けられていても良く、これらの情報を用いて、上りリンクの物理チャネルを生成する（Ｓ１０４）。基地局装置１０からＵＬ  Ｇｒａｎｔを得ることなく、該上りリンクの物理チャネル及び復調用参照信号を送信（初送）する（Ｓ１０５）。また、復調用参照信号とは別に基地局装置１０がデータ送信した端末装置２０を識別するための識別信号を送信しても良い。
【００８９】
基地局装置１０は、各端末装置２０に割当てた復調用参照信号／識別信号を用いて、端末装置２０の識別処理を行う。さらに、基地局装置１０は、識別した端末装置２０について、前記復調用参照信号／識別信号とマルチアアクセス署名リソース等を用いて、上りリンクの物理チャネルの検出処理を行う。基地局装置１０は、さらに、各端末装置に割当てたＵＥ  ＩＤを用いた誤り検出処理を行う（Ｓ１０６）。基地局装置１０は、前記誤り検出の結果を基に、端末装置２０にＡＣＫ／ＮＡＣＫを送信する（Ｓ１０７）。Ｓ１０６において、誤りが検出されなかった場合、基地局装置１０は、端末装置２０の識別及び該端末装置が送信した上りリンクのデータの受信を正しく完了したと判断し、ＡＣＫを送信する。一方、Ｓ１０６において、誤りが検出された場合、基地局装置１０は、端末装置２０の識別又は該端末装置が送信した上りリンクのデータの受信を誤ったと判断し、ＮＡＣＫを送信する。
【００９０】
ＮＡＣＫを受信した端末装置２０は、再度上りリンクの物理チャネル及び参照信号を送信（再送）する（Ｓ１０８）。端末装置２０は、基地局装置１０から再送用のマルチアアクセス署名リソースが指示されている場合、予め決められているパターンもしくは制御情報で指定されている参照テーブルなどに従って、マルチアアクセス署名リソースの変更を行う。基地局装置１０は、再送された上りリンクの物理チャネルに対して、上りリンクの
物理チャネルの検出処理を行う（Ｓ１０９）。基地局装置１０は、さらに、各端末装置に割当てたＵＥ  ＩＤを用いた誤り検出処理を行う（Ｓ１０９）。基地局装置１０は、前記誤り検出の結果を基に、端末装置２０にＡＣＫ／ＮＡＣＫを送信する（Ｓ１１０）。
【００９１】
グラントフリーアクセスでは、端末装置２０のデータ送信から基地局装置１０のＡＣＫ／ＮＡＣＫ送信までの時間を予め決めた時間とするシンクロナスＨＡＲＱと基地局装置１０がＡＣＫ／ＮＡＣＫ送信タイミングを変えられるアシンクロナスＨＡＲＱの適用が考えられる。ｍＭＴＣ送信モードでは、長い遅延が許容されるデータを送信するため、シンクロナスＨＡＲＱもしくはアシンクロナスＨＡＲＱのいずれを用いても良い。一方、ＵＲＬＬＣ送信モードでは低遅延かつ高信頼が要求されるデータを送信することから、基地局装置１０が正しくデータを検出できなかった場合には低遅延での再送制御が必要である。例えば、固定の短い時間でＡＣＫ／ＮＡＣＫを送信するシンクロナスＨＡＲＱや基地局装置１０が短い時間内でＡＣＫ／ＮＡＣＫを送信するアシンクロナスＨＡＲＱなどが必要である。
【００９２】
ｍＭＴＣ送信モードやＵＲＬＬＣ送信モードのグラントフリーアクセス用のリソースは、２種類用意することが可能である。まず、一つ目は、物理下りリンク報知チャネルの制御情報やＲＲＣメッセージ、ＳＩＢ等を用いて、準静的なグラントフリーアクセス用のリソースであるＳＳ−ＧＦＡ（Semi Static-Grant Free Access ）リソースであり、リソースが固定的な周波数リソースもしくは固定的なパターンのリソースを指定する。また、ＳＳ−ＧＦＡリソースの変更は比較的長い周期で行われる。二つ目は、物理下りリンク制御チャネルでＤＣＩを用いた、動的なグラントフリーアクセス用のリソースであるＤ−ＧＦＡ（Dynamic-GFA）リソースであり、サブフレーム単位／スロット単位／ミニスロット単
位／ＯＦＤＭシンボル単位でリソースを指定する。また、Ｄ−ＧＦＡリソースの変更は比較的短い周期で行われる。なお、ＤＣＩを用いたＤ−ＧＦＡリソースの通知例は、端末装置２０がｋ番目のサブフレームにおいてＤＣＩを受信した場合、ｋ＋ｎ番目のサブフレームにＤ−ＧＦＡリソースが割り当てられるなどである。ここで、ｎは正の整数であり、基地局装置１０と端末装置２０間で予め決まっている、もしくは予め設定情報が報知チャネル／ＲＲＣメッセージ／ＳＩＢで通知されており、グラントフリーアクセスのパラメータとして共有されているものとする。また、基地局装置１０は、スケジュールドアクセス用に周波数リソースの割当てを決定後に、空いている周波数リソースをＤ−ＧＦＡとして端末装置２０にＤＣＩで通知しても良い。グラントフリーアクセス用のリソースとして、ＳＳ−ＧＦＡリソースとＤ−ＧＦＡリソースを併用することも可能である。
【００９３】
図５は本実施形態に係る上りリンクのフレーム構成例を示す図である。同図は、縦軸が周波数、横軸が時間である。縦軸の周波数は、１つの単位をサブキャリア、もしくは複数サブキャリア（例えば、１２サブキャリア）から構成されるリソースブロック、もしくは複数のリソースブロックから構成されるリソースブロックグループなどとしても良い。横軸の時間は、１つの単位をＯＦＤＭシンボル、もしくは複数のＯＦＤＭシンボルから構成されるミニスロット、もしくは７ＯＦＤＭシンボルから構成されるスロット、もしくは１４ＯＦＤＭシンボルから構成されるサブフレームなどとしても良い。図５の斜線部（左下がり）はＳＳ−ＧＦＡリソース、網かけ部はＤ−ＧＦＡリソースである。同図はＳＳ−ＧＦＡリソースを固定的な周波数リソースに割当てた場合を示しており、ＳＳ−ＧＦＡリソースを用いる端末装置２０は、該周波数リソースでグラントフリーアクセスのデータ送信を行う。一方、Ｄ−ＧＦＡリソースを使用可能な端末装置２０は、データ送信時にＤ−ＧＦＡリソースの制御情報を検出している場合は制御情報に示される周波数リソースでグラントフリーアクセスのデータ送信を行う。また、Ｄ−ＧＦＡリソースを使用可能な端末装置２０は、データ送信時にＤ−ＧＦＡリソースの制御情報を検出していない場合（例えば、図５のＧＦＡ用リソースの動的な割当がない時間）はＳＳ−ＧＦＡリソースでグラントフリーアクセスのデータ送信を行っても良いし、スケジューリング要求によりスケジュー
ルドアクセスのデータ送信を行っても良い。
【００９４】
図６は本実施形態に係る上りリンクのフレーム構成の一例を示す図である。同図は、ＳＳ−ＧＦＡリソースを斜線部（左下がり）とし、Ｄ−ＧＦＡリソースを網かけ部としている。図６は、基地局装置１０が物理下りリンク報知チャネルの制御情報やＲＲＣメッセージ、ＳＩＢ等を用いて、ＳＳ−ＧＦＡリソースが非連続な周波数リソースで設定した場合である。この場合、端末装置２０はＳＳ−ＧＦＡリソースのいずれか一方を選択して、グラントフリーアクセスのデータ送信を行っても良い。また、図６のように離れた周波数リソース（例えば、物理上りリンク共有チャネルの両端の周波数リソース）がＳＳ−ＧＦＡリソースが指定されている場合、端末装置２０は再送時に使用するＳＳ−ＧＦＡリソースを変えることで周波数選択性フェージングの影響を軽減できる。また、基地局装置１０は、システム帯域、もしくはサービングセルの周波数帯域、コンポーネントキャリアなどの１つのアクセス単位において、常にＳＳ−ＧＦＡリソースを両端に配置し、使用する帯域幅を制御情報で通知しても良い。
【００９５】
図７は本実施形態に係る上りリンクのフレーム構成の一例を示す図である。同図は、ＳＳ−ＧＦＡリソースを斜線部（左下がり）とし、Ｄ−ＧＦＡリソースを網かけ部としている。図７は、ＳＳ−ＧＦＡリソースが固定の周波数リソースで指定されているが、周期的にグラントフリーアクセスのデータ送信で使用可能もしくは使用不可能とされる場合である。同図の場合、端末装置２０はＳＳ−ＧＦＡリソースが使用不可能な時間において、Ｄ−ＧＦＡリソースの制御情報を検出している場合にＤ−ＧＦＡリソースでデータ送信しても良い。また、同図のようにＤ−ＧＦＡリソースが非連続な周波数を示している場合、端末装置２０はＤ−ＧＦＡリソースのいずれか一つを選択して、グラントフリーアクセスのデータ送信を行っても良い。図５〜７では、ＳＳ−ＧＦＡリソースが固定的な周波数リソースで設定される例を示したが、本発明はこの例に限定されるものではなく、例えばＳＳ−ＧＦＡリソースが時間（サブフレーム単位／スロット単位／ミニスロット単位／ＯＦＤＭシンボル単位）で異なる周波数リソースとなるパターンとしても良い。この場合は、基地局装置１０は端末装置２０にＳＳ−ＧＦＡリソースのパターンを制御情報で通知しても良い。
【００９６】
図５〜７では、Ｄ−ＧＦＡリソースを時間・周波数リソースで通知する例を示したが、時間リソース（ＯＦＤＭシンボル、ミニスロット、サブフレーム等）のみを指定し、周波数リソースについては制限しないものとしてもよい。このとき、複数の端末装置２０は、自由に使用する周波数リソースを決定してもよい。なお使用する周波数リソースは、端末が自由に選択できるのではなく、ＵＥのＩＤやアクセス方式（ＯＦＤＭであるかＤＦＴ−Ｓ−ＯＦＤＭであるか）、レイヤ数等の送信パラメータに応じて一意に決定、もしくは限定されてもよい。また、この場合に、端末装置は、ＳＳ−ＧＦＡリソースを除くリソースから使用する周波数リソースを決定しても良いし、物理上りリンク制御チャネルを除くリソースから使用する周波数リソースを決定しても良い。
【００９７】
図８は、本実施形態における基地局装置１０の構成を示す概略ブロック図である。基地局装置１０は、上位層処理部（上位層処理ステップ）１０２、送信部（送信ステップ）１０４、送信アンテナ１０６、制御部（制御ステップ）１０８、受信アンテナ１１０、受信部（受信ステップ）１１２を含んで構成される。送信部１０４は、符号化部（符号化ステップ）１０４０、変調部（変調ステップ）１０４２、多重部（多重ステップ）１０４４、下りリンク制御信号生成部（下りリンク制御信号生成ステップ）１０４６、下りリンク参照信号生成部（下りリンク参照信号生成ステップ）１０４８、ＩＦＦＴ部１０４９（ＩＦＦＴステップ）及び無線送信部（無線送信ステップ）１０５０を含んで構成される。受信部１１２は、無線受信部（無線受信ステップ）１１２０、ＦＦＴ部（ＦＦＴステップ）１１２１、伝搬路推定部（伝搬路推定ステップ）１１２２、多重分離部（多重分離ステップ
）１１２４及び信号検出部（信号検出ステップ）１１２６を含んで構成される。
【００９８】
上位層処理部１０２は、媒体アクセス制御（ＭＡＣ：Medium Access Control）層、パ
ケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層などの物理層より上位層の処理を行なう。上位層処理部１０２は、送信部１０４および受信部１１２の制御を行なうために必要な情報を生成し、制御部１０８に出力する。上位層処理部１０２は、下りリンクのデータ（例えば、ＤＬ−ＳＣＨ）、報知情報（例えば、ＢＣＨ）、ハイブリッド自動再送要求（Hybrid Automatic Request）インジケータ（ＨＡＲＱインジケータ）などを送信部１０４に出力する。
【００９９】
上位層処理部１０２は、端末装置の機能（UE capability）等の端末装置に関する情報
を、端末装置２０から（受信部１１２を介して）受信する。端末装置に関する情報は、グラントフリーアクセスをサポートすることを示す情報、その機能毎にサポートするかどうかを示す情報を含む。グラントフリーアクセスをサポートすることを示す情報、その機能毎にサポートするかどうかを示す情報は、送信モードで区別されてもよい。上位層処理部１０２は、端末装置２０がサポートしている送信モードによって、グラントフリーアクセスをサポートしているか判断することができる。
【０１００】
上位層処理部１０２は、ブロードキャストするシステムインフォメーション（ＭＩＢ、ＳＩＢ）を生成、又は上位ノードから取得する。上位層処理部１０２は、前記ブロードキャストするシステムインフォメーションを送信部１０４に出力する。前記ブロードキャストするシステムインフォメーションは、基地局装置１０がグラントフリーアクセスをサポートすることを示す情報を含めることができる。上位層処理部１０２は、前記システムインフォメーションに、グラントフリーアクセスに関する設定情報（マルチアクセスの物理リソース、マルチアクセス署名リソースなどのマルチアクセスリソースに関する設定情報など）の一部又は全部を含めることができる。上りリンク前記システム制御情報は、送信部１０４において、物理報知チャネル／物理下りリンク共有チャネルにマッピングされる。
【０１０１】
上位層処理部１０２は、物理下りリンク共有チャネルにマッピングされる下りリンクのデータ（トランスポートブロック）、システムインフォメーション（ＳＩＢ）、ＲＲＣメッセージ、ＭＡＣ  ＣＥなどを生成、又は上位ノードから取得し、送信部１０４に出力する。上位層処理部１０２は、これらの上位層の信号にグラントフリーアクセスに関する設定情報、グラントフリーアクセスのセットアップ、リリースを示すパラメータの一部又は全部を含めることができる。上位層処理部１０２は、グラントフリーアクセスに関する設定情報を通知するための専用ＳＩＢを生成してもよい。
【０１０２】
上位層処理部１０２は、グラントフリーアクセスをサポートしている端末装置２０に対して、マルチアクセスリソースをマッピングする。基地局装置１０は、マルチアクセス署名リソースに関する設定パラメータの参照テーブルを保持しても良い。上位層処理部１０２は、前記端末装置２０に対して各設定パラメータを割当てる。上位層処理部１０２は、前記マルチアアクセス署名リソースを用いて、各端末装置に対するグラントフリーアクセスに関する設定情報を生成する。上位層処理部１０２は、各端末装置に対するグラントフリーアクセスに関する設定情報の一部又は全部を含む下りリンク共有チャネルを生成する。上位層処理部１０２は、前記グラントフリーアクセスに関する設定情報を、制御部１０８／送信部１０４に出力する。
【０１０３】
上位層処理部１０２は、各端末装置に対してＵＥ  ＩＤを設定し、通知する。ＵＥ  ＩＤは、無線ネットワーク一時的識別子（ＲＮＴＩ：Cell Radio Network Temporary Ident
ifier）を用いることができる。ＵＥ  ＩＤは、下りリンク制御チャネル、下りリンク共
有チャネルに付加されるＣＲＣのスクランブルに用いられる。ＵＥ  ＩＤは、上りリンク共有チャネルに付加されるＣＲＣのスクランブリングに用いられる。ＵＥ  ＩＤは、上りリンク参照信号系列の生成に用いられる。上位層処理部１０２は、グラントフリーアクセス固有のＵＥ  ＩＤを設定してもよい。上位層処理部１０２は、グラントフリーアクセスをサポートする端末装置か否かで区別して、ＵＥ  ＩＤを設定してもよい。例えば、下りリンクの物理チャネルがスケジュールドアクセスで送信され、上りリンクの物理チャネルがグラントフリーアクセスで送信される場合、下りリンクの物理チャネル用ＵＥ  ＩＤは、下りリンクの物理チャネル用ＵＥ  ＩＤと区別して設定してもよい。上位層処理部１０２は、前記ＵＥ  ＩＤに関する設定情報を、送信部１０４／制御部１０８／受信部１１２に出力する。
【０１０４】
上位層処理部１０２は、物理チャネル（物理下りリンク共有チャネル、物理上りリンク共有チャネルなど）の符号化率、変調方式（あるいはＭＣＳ）および送信電力などを決定する。上位層処理部１０２は、前記符号化率／変調方式／送信電力を送信部１０４／制御部１０８／受信部１１２に出力する。上位層処理部１０２は、前記符号化率／変調方式／送信電力を上位層の信号に含めることができる。
【０１０５】
制御部１０８は、上位層処理部１０２から入力された各種設定情報に基づいて、送信部１０４および受信部１１２の制御を行なう。制御部１０８は、上位層処理部１０２から入力された下りリンク送信及び上りリンク送信に関する設定情報に基づいて、下りリンク制御情報（ＤＣＩ）を生成し、送信部１０４に出力する。制御部１０８は、下りリンク制御情報に、前記グラントフリーアクセスに関する設定情報の一部又は全部を含めることができる。
【０１０６】
制御部１０８は、上位層処理部１０２から入力された前記グラントフリーアクセスに関する設定情報に従って、受信部１１２を制御する。制御部１０８は、上位層処理部１０２から入力されたマルチアクセス署名リソースや復調用参照信号系列／識別信号に従って、伝搬路推定部１１２２に対して、チャネル推定及び端末装置を識別する。制御部１０８は、データ送信した端末装置の識別結果、チャネル推定値、識別された端末装置の使用するマルチアクセス署名リソースなどを信号検出部１１２６に出力する。なお、制御部１０８の機能は、上位層処理部１０２に含めることができる。
【０１０７】
送信部１０４は、各端末装置のために、上位層処理部１０２から入力された報知情報、下りリンク制御情報、下りリンク共有チャネル等を符号化および変調し、物理報知チャネル、物理下りリンク制御チャネル、物理下りリンク共有チャネルを生成する。符号化部１０４０は、予め定められた／上位層処理部１０２が決定した符号化方式を用いて、報知情報、下りリンク制御情報、下りリンク共有チャネルを符号化する（リピティションを含む）。符号化方式は、畳み込み符号化、ターボ符号化、ＬＤＰＣ（Low Density Parity Check）符号化、Ｐｏｌａｒ符号化、等を適用することができる。変調部１０４２は、符号化部１０４０から入力された符号化ビットをＢＰＳＫ、ＱＰＳＫ、１６ＱＡＭ、６４ＱＡＭ、２５６ＱＡＭ等の予め定められた／上位層処理部１０２が決定した変調方式で変調する。
【０１０８】
下りリンク制御信号生成部１０４６は、制御部１０８から入力される下りリンク制御情報にＣＲＣを付加して、物理下りリンク制御チャネルを生成する。下りリンク制御情報は、グラントフリーアクセスに関する設定情報の一部又は全部を含む。前記ＣＲＣは、各端末装置に割当てられたＵＥ  ＩＤでスクランブルされる。下りリンク参照信号生成部１０４８は、下りリンク参照信号を生成する。前記下りリンク参照信号は、基地局装置１０を識別するためのＵＥ  ＩＤなどの基に予め定められた規則で求まる。
【０１０９】
多重部１０４４は、変調された各下りリンクの物理チャネルの変調シンボル、物理下りリンク制御チャネルと下りリンク参照信号をリソースエレメントにマッピングする。多重部１０４４は、物理下りリンク共有チャネル、物理下りリンク制御チャネルを、各端末装置に割当てられたリソースにマッピングする。
【０１１０】
ＩＦＦＴ部１０４９は、多重された各下りリンクの物理チャネルの変調シンボルを逆高速フーリエ変換（Inverse Fast Fourier Transform: IFFT）してＯＦＤＭシンボルを生成する。無線送信部１０５０は、前記ＯＦＤＭシンボルにサイクリックプレフィックス（cyclic prefix: CP）を付加してベースバンドのディジタル信号を生成する。さらに、無線
送信部１０５０は、前記ディジタル信号をアナログ信号に変換し、フィルタリングにより余分な周波数成分を除去し、搬送周波数にアップコンバートし、電力増幅し、送信アンテナ１０６に出力して送信する。
【０１１１】
受信部１１２は、グラントフリーアクセスによって端末装置２０から送信された上りリンクの物理チャネルを、復調用参照信号／識別信号を用いて検出する。受信部１１２は、各端末装置に対して設定したグラントフリーアクセスに関する設定情報に基づいて、各端末装置の端末装置の識別及び上りリンクの物理チャネルの検出を行う。
【０１１２】
無線受信部１１２０は、受信アンテナ１１０を介して受信した上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。ＦＦＴ部１１２１は、ＣＰを除去した信号に対して高速フーリエ変換（Fast Fourier Transform: FFT）を行い、周波数領域の信号を抽出する。
【０１１３】
伝搬路推定部１１２２は、復調用参照信号／識別信号を用いて、端末装置の識別及び上りリンクの物理チャネルの信号検出のためのチャネル推定を行う。伝搬路推定部１１２２には、復調用参照信号／識別信号がマッピングされているリソース及び各端末装置に割当てた復調用参照信号系列／識別信号が制御部１０８から入力される。伝搬路推定部１１２２は、前記復調用参照信号系列／識別信号を用いて、基地局装置１０と端末装置２０の間のチャネル状態（伝搬路状態）を測定する。伝搬路推定部１１２２は、チャネル推定の結果（チャネル状態のインパルス応答、周波数応答）を用いて、端末装置の識別を行うことができる（このため、識別部とも称する）。伝搬路推定部１１２２は、チャネル状態の抽出に成功した復調用参照信号／識別信号に関連付けられる端末装置２０が、上りリンクの物理チャネルを送信したと判断する。多重分離部１１２４は、伝搬路推定部１１２２が上りリンクの物理チャネルが送信されたと判断したリソースにおいて、無線受信部１１２０から入力された周波数領域の信号（複数の端末装置２０の信号が含まれる）を抽出する。
【０１１４】
信号検出部１１２６は、前記チャネル推定結果及び多重分離部１１２４から入力される前記周波数領域の信号を用いて、各端末装置の上りリンクのデータ（上りリンクの物理チャネル）の信号を検出する。信号検出部１１２６は、上りリンクのデータを送信したと判断した端末装置２０に割当てた復調用参照信号（チャネル状態の抽出に成功した復調用参照信号）／識別信号に関連付けられた端末装置２０の信号の検出処理を行う。
【０１１５】
上位層処理部１０２は、信号検出部１１２６から各端末装置の復号後の上りリンクのデータ（硬判定後のビット系列）を取得する。上位層処理部１０２は、各端末装置の復号後の上りリンクのデータに含まれるＣＲＣに対して、各端末に割当てたＵＥ  ＩＤを用いて、デスクランブル（排他的論理和演算）を行う。上位層処理部１０２は、デスクランブル
による誤り検出の結果、上りリンクのデータに誤りが無い場合、端末装置の識別を正しく完了し、該端末装置から送信された上りリンクのデータを正しく受信できたと判断する。
【０１１６】
図９は、本実施形態に係る信号検出部の一例を示す図である。信号検出部１１２６は、キャンセル部１５０２、等化部１５０４、多元接続信号分離部１５０６−１〜１５０６−ｕ、ＩＤＦＴ部１５０８−１〜１５０８−ｕ、復調部１５１０−１〜１５１０−ｕ、復号部１５１２−１〜１５１２−ｕ、レプリカ生成部１５１４から構成される。ｕは、同一又は重複するマルチアクセスの物理リソースにおいて（同一時間及び同一周波数において）、伝搬路推定部１１２２が上りリンクのデータを送信したと判断（チャネル状態の抽出に成功）した端末装置数である。信号検出部１１２６を構成する各部位は、制御部１０８から入力される各端末装置のグラントフリーアクセスに関する設定を用いて、制御される。
【０１１７】
キャンセル処理部１５０１は、多重分離部１１２４から入力される周波数領域の信号（各端末装置の信号が含まれる）から、レプリカ生成部１５１４から入力されたソフトレプリカを減算する（キャンセル処理）。等化部１５０４は、伝搬路推定部１１２２より入力された周波数応答よりＭＭＳＥ規範に基づく等化重みを生成する。ここで、等化処理は、ＭＲＣやＺＦを用いても良い。等化部１５０４は、該等化重みをソフトキャンセル後の周波数領域の信号に乗算し、各端末装置の周波数領域の信号を抽出する。等化部１５０４は、等化後の各端末装置の周波数領域の信号をＩＤＦＴ部１５０８−１〜１５０８−ｕに出力する。ここで、信号波形をＤＦＴＳ−ＯＦＤＭとした端末装置２０が送信したデータを検出する場合、ＩＤＦＴ部１５０８−１〜１５０８−ｕに周波数領域の信号を出力する。また、信号波形をＯＦＤＭとした端末装置２０が送信したデータを受信する場合、多元接続信号分離部１５０６−１〜１５０６−ｕに周波数領域の信号を出力する。
【０１１８】
ＩＤＦＴ部１５０８−１〜１５０８−ｕは、等化後の各端末装置の周波数領域の信号を時間領域の信号に変換する。なお、ＩＤＦＴ部１５０８−１〜１５０８−ｕは、端末装置２０のＤＦＴ部２１０４で施された処理に対応する。多元接続信号分離部１５０６−１〜１５０６−ｕは、ＩＤＦＴ後の各端末装置の時間領域の信号に対して、マルチアクセス署名リソースにより多重されている信号を分離する（多元接続信号分離処理）。例えば、マルチアクセス署名リソースとして符号拡散を用いた場合は、多元接続信号分離部１５０６−１〜１５０６−ｕの各々は、各端末装置に割当てられた拡散符号系列を用いて、逆拡散処理を行う。なお、マルチアクセス署名リソースとしてインターリーブが適用される場合、ＩＤＦＴ後の各端末装置の時間領域の信号に対して、デインターリーブ処理が行われる（デインターリーブ部）。
【０１１９】
復調部１５１０−１〜１５１０−ｕには、予め通知されている、又は予め決められている各端末装置の変調方式の情報が制御部１０８から入力される。復調部１５１０−１〜１５１０−ｕは、前記変調方式の情報に基づき、多元接続信号の分離後の信号に対して復調処理を施し、ビット系列のＬＬＲ（Log Likelihood Ratio）を出力する。
【０１２０】
復号部１５１２−１〜１５１２−ｕには、予め通知されている、又は予め決められている符号化率の情報が制御部１０８から入力される。復号部１５１２−１〜１５１２−ｕは、前記復調部１５１０−１〜１５１０−ｕから出力されたＬＬＲの系列に対して復号処理を行う。逐次干渉キャンセラ（ＳＩＣ: Successive Interference Canceller）やターボ
等化等のキャンセル処理を行うために、復号部１５１２−１〜１５１２−ｕは、復号部出力の外部ＬＬＲもしくは事後ＬＬＲをレプリカ生成部１５１４に出力する。外部ＬＬＲと事後ＬＬＲの違いは、それぞれ復号後のＬＬＲから復号部１５１２−１〜１５１２−ｕに入力される事前ＬＬＲを減算するか、否かである。復号部１５１２−１〜１５１２−ｕは、ＳＩＣやターボ等化の繰り返し回数が所定の回数に達した場合、復号処理後のＬＬＲに対して硬判定を行い、各端末装置における上りリンクのデータのビット系列を、上位層処
理部１０２に出力する。
【０１２１】
レプリカ生成部１５１４は、各復号部から入力されたＬＬＲ系列を、各端末装置が上りリンクのデータに施した変調方式に応じて各端末装置のシンボルレプリカを生成する。レプリカ生成部１５１４は、前記シンボルレプリカに対して、各端末装置が上りリンクのデータに施したマルチアクセス署名リソースに従って信号を変換する。さらに、レプリカ生成部１５１４は、多元接続処理後の信号をＤＦＴで周波数領域の信号に変換する。そして、レプリカ生成部１５１４は、ＤＦＴ後の信号に対して、伝搬路推定部１１２２から入力された周波数応答を乗算することでソフトレプリカを生成する。なお、図９では、ターボ等化処理を用いた信号検出を説明したが、レプリカ生成し、干渉除去を用いない信号検出や最尤検出、ＥＭＭＳＥ−ＩＲＣなどを用いることもできる。
【０１２２】
図１０に第１の実施形態に係る下りリンクのフレーム構成の一例を示す。同図は、１サブフレーム、１４ＯＦＤＭシンボル、１スロットを７ＯＦＤＭシンボル、１ミニスロットを１以上７以下のＯＦＤＭシンボル（図１０では２ＯＦＤＭシンボル）で構成される場合である。下りリンクでは、先頭から所定の数のＯＦＤＭシンボルに物理下りリンク制御チャネルを配置し、スケジュールドアクセス用のＵＬ  ＧｒａｎｔもしくはＤＬ  Ｇｒａｎｔ（下りリンクのデータ送信の通知）やグラントフリーアクセス用のＤ−ＧＦＡリソースの通知などを通知する。ただし、ＥＰＤＣＣＨのような特定の周波数リソースを制御チャネルとして設定し、上記の制御情報を送信しても良い。
【０１２３】
基地局装置１０は、物理下りリンク制御チャネル内のどのリソースを使用して制御情報を送信するかを端末装置２０へ通知しないため、端末装置２０は制御情報が配置される候補であるサーチスペースをブラインドデコーディングすることで制御情報の検出を試みる。サーチスペースには、セル内の端末装置２０で共通のサーチペース（ＣＳＳ：Common Search Space）と端末装置２０固有のサーチスペース（ＵＳＳ：UE-specific SS）がある
。
【０１２４】
基地局装置１０は、端末装置２０へＵＳＳの位置とブラインドデコーディングの結果、自局宛ての制御情報のみを検出可能とするため、ＵＥ  ＩＤであるＣ−ＲＮＴＩを通知する。端末装置２０はＣ−ＲＮＴＩを使って、ＵＳＳの開始の位置を算出する。また、端末装置２０はサーチスペースをブラインドデコーディングした結果、制御情報に付加されているＣＲＣとＣ−ＲＮＴＩを排他的論理和の演算後のビット列を用いて誤りの有無をチェックする。これは、他の端末装置宛の制御情報を検出しないように、基地局装置１０がＣＲＣに対して宛先の端末装置のＣ−ＲＮＴＩでマスク（排他的論理の演算）をしているためである。
【０１２５】
基地局装置１０は、Ｄ−ＧＦＡリソースを使用可能な端末装置２０に対して、Ｄ−ＧＦＡリソースの通知に用いる制御情報の検出するためのＩＤとしてＧＦＡ−ＲＮＴＩを通知しても良い。ＧＦＡ−ＲＮＴＩは、ＣＲＣとの排他的論理和にのみ用いられても良い。つまり、ＧＦＡ−ＲＮＴＩはＵＳＳの開始位置の算出に用いられず、従来と同様にＣ−ＲＮＴＩでＵＳＳの開始位置を算出しても良い。ＧＦＡ−ＲＮＴＩは、１つの端末装置２０固有に割り当てるものではなく、複数の端末装置２０に割り当てても良い。この場合、Ｄ−ＧＦＡリソースは、ＧＦＡ−ＲＮＴＩが割り当てられた端末装置２０で共有することになる。ここで、ｍＭＴＣ送信モードでは一般的に低消費電力が要求されるため、Ｄ−ＧＦＡリソースの制御情報を検出するためのブラインドデコーディングは好ましくない。そこで、基地局装置１０は、ＧＦＡ−ＲＮＴＩをＵＲＬＬＣ送信モードの端末装置２０のみに設定しても良い。
【０１２６】
Ｄ−ＧＦＡリソースを使用可能な端末装置１０は、データ送信をする際にＳＳ−ＧＦＡ
リソースとＤ−ＧＦＡリソースが使用可能な場合に、少なくとも一つのＤ−ＧＦＡリソースを優先して使用しても良い。これは、ＳＳ−ＧＦＡリソースのみを使用可能な端末装置１０のデータ信号との衝突回避が可能であり、データ伝送の信頼性向上に寄与するためである。
【０１２７】
基地局装置１０は、Ｄ−ＧＦＡリソースを通知する制御情報を特定の物理下りリンク制御チャネル、例えばＰＤＣＣＨ、ＥＰＤＣＣＨ、ＭＰＤＣＣＨ、ＮＰＤＣＣＨの１つもしくはこれらの組み合わせなどで送信しても良い。この場合、端末装置２０はＤ−ＧＦＡリソースの制御情報を検出するために特定の物理下りリンク制御チャネルのみブラインドデコーディングすれば良い。基地局装置１０は、Ｄ−ＧＦＡリソースを通知する制御情報を特定のサーチスペース、例えばＣＳＳのみに配置しても良い。この場合、端末装置２０はＤ−ＧＦＡリソースの制御情報を検出するために特定のサーチスペースのみブラインドデコーディングすれば良い。本発明は、Ｄ−ＧＦＡリソースを通知する制御情報を配置するリソースを物理チャネルやサーチスペースに限定されるものでなく、アグリゲーションレベルで限定しても良い。
【０１２８】
図７のようにＤ−ＧＦＡリソースが非連続な場合、連続な１つのＤ−ＧＦＡリソース当たり１つのコードワードを割当て、非連続なＤ−ＧＦＡリソースを同時に使用する場合は複数のコードワードを送信しても良い。また、１つのコードワードを割り当てる周波数の単位はリソースブロックやリソースブロックグループとしても良い。複数のコードワードを同時に送信する場合は、信号波形をＯＦＤＭで送信しても良い。
【０１２９】
Ｄ−ＧＦＡリソースを使用可能な端末装置１０は、Ｄ−ＧＦＡリソースで伝送するデータ（例えばＵＲＬＬＣ送信モードでデータ）がバッファにない場合、Ｄ−ＧＦＡリソースを通知する制御情報をモニタリングしなくても良い。ここで、データがバッファにないとは、端末装置２０が送信前のデータもしくはデータ送信したが、基地局装置１０よりＰＨＩＣＨなどでＡＣＫを受信していないデータ、もしくは基地局装置１０よりＤＣＩによりＮＤＩ（New Data Indicator）で初送の割り当てを受信していないデータのいずれでも良い。Ｄ−ＧＦＡリソースを使用可能な端末装置１０は、ＤＲＸ（Discontinuous reception）が設定されている時間はブラインドデコーディングを行わないが、低遅延が要求され
るデータ（ＵＲＬＬＣ送信モードのデータ）がバッファに入っている場合はＤ−ＧＦＡリソースを通知する制御情報のみブラインドデコーディングし、ＤＬ  ＧｒａｎｔやＵＬ  Ｇｒａｎｔの制御情報はブラインドデコーディングしないとしても良い。
【０１３０】
本実施形態では、基地局装置１０は、複数の端末装置２０宛てのＤ−ＧＦＡリソースを通知する制御情報と端末装置２０固有のＵＬ  Ｇｒａｎｔの制御情報を送信する。さらに、基地局装置１０は、ＳＳ−ＧＦＡリソースを複数の端末装置２０宛ての制御情報もしくは端末装置２０固有の制御情報として送信する。このように、端末装置２０は、グラントフリーアクセスのデータ送信時にＤ−ＧＦＡリソースとＳＳ−ＧＦＡリソースを使用することができ、衝突確率の低減が可能となる。また、基地局装置１０は、グラントフリーアクセスのデータ送信が行われるタイミングを制御できないが、Ｄ−ＧＦＡリソースを設定可能となることで、ＳＳ−ＧＦＡリソースを最小限にすることができ、周波数利用効率の向上を実現できる。
【０１３１】
（第２の実施形態）
本実施形態は、グラントフリーアクセスにおいて、基地局装置１０がＤ−ＧＦＡリソースを通知する制御情報の送信方法の一例である。本実施形態に係る通信システムは、図３、図８及び図９で説明した基地局装置１０及び端末装置２０で構成される。以下、第１の実施形態との相違点／追加点を主に説明する。
【０１３２】
図１１に、第２の実施形態に係るフレーム構成の一例を示す。同図は、縦軸を周波数、横軸をサブフレーム（時間）とし、斜線部（左下がり）はＳＳ−ＧＦＡリソース、斜線部（右下がり）は物理下りリンク制御チャネルを示している。本実施形態では、物理下りリンク制御チャネルにおいてＤ−ＧＦＡリソースを通知する場合について説明する。また、同図では、サブフレーム毎に物理下りリンク制御チャネルが配置される例としているが、スロット毎に物理下りリンク制御チャネルが配置されても良く、その場合は図１１の横軸をスロットとする。本実施形態はＴＤＤ（Time Division Duplexもしくはframe structure type2）に適用しても良いし、ＦＤＤ（Frequency Division Duplexもしくはframe structure type1）に適用しても良いし、アンライセンスバンド用のframe structure type3に適用しても良い。また、１サブフレーム内に下りリンクと上りリンクの区間を有するself-contained サブフレームに適用しても良い。
【０１３３】
基地局装置１０は、Ｄ−ＧＦＡリソースを通知する制御情報（以下、Ｄ−ＧＦＡ割当情報と呼称する）を図１１の物理下りリンク制御チャネルで送信する。Ｄ−ＧＦＡ割当情報には、周波数リソースの情報と、Ｄ−ＧＦＡ割当情報を送信したサブフレーム番号ｓ１に対して、Ｄ−ＧＦＡリソースを設定するサブフレーム番号ｓ２への相対的なサブフレーム数（時間の情報；ｓ２−ｓ１）を含んでも良い。例えば、図１１のサブフレームｋでＤ−ＧＦＡ割当情報を送信し、サブフレームｋ＋３でＤ−ＧＦＡリソースを設定する場合、相対的なサブフレーム数の３を示す情報を含んでも良い。ＦＤＤの場合には、下りリンクのサービングセルでＤ−ＧＦＡ割当情報を送信し、下りリンクのサービングセルに関連付けられている上りリンクのサービングセルにおいて、Ｄ−ＧＦＡ割当情報に含まれる時間・周波数の情報でＤ−ＧＦＡリソースが通知される。なお第一の実施形態にも記載したように、Ｄ−ＧＦＡ割当情報には時間の情報のみが含まれていてもよい。ＴＤＤの場合には、Ｄ−ＧＦＡ割当情報に含まれる相対的なサブフレーム数（時間の情報）は、上りリンクのサブフレームのみで算出しても良く、ｓ２−ｓ１−ｓｄ（ｓ１，ｓ２）としても良い。ただし、ｓｄ（ｓ１，ｓ２）はサブフレーム番号ｓ１〜ｓ２の間の下りリンクのサブフレーム数である。具体的には、図１１のサブフレームｋでＤ−ＧＦＡ割当情報を送信し、サブフレームｋ＋３でＤ−ＧＦＡリソースを設定する場合、サブフレームｋとｋ＋１が下りリンクのサブフレーム、サブフレームｋ＋２とｋ＋３が上りリンクのサブフレームであれば、相対的なサブフレーム数を２としても良い。また、self-contained サブフレームの場
合には、Ｄ−ＧＦＡ割当情報に含まれる相対的なサブフレーム数を０とし、Ｄ−ＧＦＡ割当情報とＤ−ＧＦＡリソースを同一のサブフレーム内の異なるスロット／ミニスロット／ＯＦＤＭシンボルとすることも可能である。
【０１３４】
Ｄ−ＧＦＡリソースはサブフレーム単位である必要はなく、Ｄ−ＧＦＡ割当情報は相対的なサブフレーム数の情報に加えて、サブフレーム内のスロットの情報（前半スロットのみ、後半スロットのみ、全てのスロット）やミニスロットの情報（サブフレーム内でＤ−ＧＦＡリソースとするミニスロットの位置を指定）やＯＦＤＭシンボルの情報（サブフレーム内でＤ−ＧＦＡリソースとするＯＦＤＭシンボルの位置を指定）を含んでも良い。
【０１３５】
基地局装置１０は、Ｄ−ＧＦＡ割当情報に複数のサブフレームのＤ−ＧＦＡリソースの情報を含んでも良い。特定の周波数リソースを複数のサブフレームでＤ−ＧＦＡリソースとしても良く、この場合はＤ−ＧＦＡ割当情報にＤ−ＧＦＡリソースとして有効なサブフレーム数（有効期間）を含んでも良い。また、Ｄ−ＧＦＡ割当情報はサブフレーム毎に異なる周波数リソースをＤ−ＧＦＡリソースとして割り当てても良く、基地局装置１０はサブフレーム毎のＤ−ＧＦＡリソースの周波数の位置を１つの制御情報として通知しても良い。
【０１３６】
ＵＲＬＬＣ送信モードの端末装置２０は、前実施形態のＤＲＸなどでブラインドデコーディングしていないサブフレームでＤ−ＧＦＡ割当情報が通知されている場合、Ｄ−ＧＦ
Ａリソースを認識できない。そこで、基地局装置１０は、Ｄ−ＧＦＡ割当情報を異なるサブフレーム／スロット／ミニスロット／ＯＦＤＭシンボルを用いて複数回送信しても良い。この場合、基地局装置１０は、同一の制御情報を繰り返し送信するのではなく、Ｄ−ＧＦＡ割当情報に含まれる相対的なサブフレーム数を送信サブフレーム番号に合わせて変更して、１つのＤ−ＧＦＡ割当情報を複数回送信する。端末装置２０は、１つのＤ−ＧＦＡ割当情報が複数回送信されることから、Ｄ−ＧＦＡ割当情報をブラインドデコーディングで検出した場合はブラインドデコーディングを止めても良い。端末装置２０は、ブラインドデコーディングを続けるか否かをバッファに残っているデータサイズによって決めても良く、バッファに残っているデータ量が所定の値以下の場合にブラインドデコーディングを止めても良い。
【０１３７】
基地局装置１０は、Ｄ−ＧＦＡ割当情報に１つのサブフレーム／スロット／ミニスロット／ＯＦＤＭシンボル内で複数のＤ−ＧＦＡリソースを設定しても良く、複数のＤ−ＧＦＡリソースは非連続（離散的）な周波数リソースでも連続的な周波数リソースでも良い。この場合、基地局装置１０は、Ｄ−ＧＦＡリソースを使用可能な端末装置２０を複数のグループに分類し、グループ単位で異なるＧＦＡ−ＲＮＴＩを割り当てても良い。さらに、基地局装置１０は、グループ単位でＤ−ＧＦＡ割当情報を通知し、各グループに通知するＤ−ＧＦＡ割当情報には複数のＤ−ＧＦＡリソースの中で一部のＤ−ＧＦＡリソースのみを含めても良い。よって、基地局装置１０は、グループ毎に異なるＤ−ＧＦＡリソースの割り当てを行うこともできる。
【０１３８】
本実施形態では、基地局装置１０がＤ−ＧＦＡ割当情報として、サブフレーム／スロット／ミニスロット／ＯＦＤＭシンボルの位置、有効期間、周波数リソースなどの少なくとも一部を通知する。さらに、基地局装置１０は１つのＤ−ＧＦＡリソースのＤ−ＧＦＡ割当情報を複数回送信する。さらに、基地局装置１０はＵＲＬＬＣ送信モードの端末装置２０をグループ化して、グループ毎にＤ−ＧＦＡ割当情報を通知する。このように、Ｄ−ＧＦＡ割当情報を通知することで、端末装置２０が低遅延／高信頼を必要とするデータ送信を効率的に行うことができる。さらに、端末装置２０は、グラントフリーアクセスのデータ送信時にＤ−ＧＦＡリソースとＳＳ−ＧＦＡリソースを使用することができ、衝突確率の低減が可能となる。また、基地局装置１０は、グラントフリーアクセスのデータ送信が行われるタイミングを制御できないが、Ｄ−ＧＦＡリソースを設定可能となることで、ＳＳ−ＧＦＡリソースを最小限にすることができ、周波数利用効率の向上を実現できる。
【０１３９】
（第３の実施形態）
本実施形態は、グラントフリーアクセスにおいて、基地局装置１０がＳＳ−ＧＦＡリソースを通知する制御情報の一例である。本実施形態に係る通信システムは、図３、図８及び図９で説明した基地局装置１０及び端末装置２０で構成される。以下、第１の実施形態との相違点／追加点を主に説明する。
【０１４０】
図１２に、第３の実施形態に係るフレーム構成の一例を示す。同図は、縦軸を周波数、横軸を時間とし、斜線部（左下がり）はＳＳ−ＧＦＡリソース、網かけ部はＤ−ＧＦＡリソース、その他がグラントフリーアクセスでのデータ伝送が許可されていないリソースを示している。基地局装置１０は、物理下りリンク報知チャネルの制御情報やＲＲＣメッセージ、ＳＩＢ等を用いて、ＳＳ−ＧＦＡリソースをＵＲＬＬＣ送信モードもしくはｍＭＴＣ送信モードの端末装置に対して通知する。ＳＳ−ＧＦＡリソースを通知する制御情報には、グラントフリーアクセスが許可されないサブフレーム／スロット／ミニスロット／ＯＦＤＭシンボルの情報（フレームコンフィグレーション）を含めても良い。ＳＳ−ＧＦＡリソースを通知する制御情報には、グラントフリーアクセスが許可されない周波数リソースを含めても良い。また、ＳＳ−ＧＦＡリソースを通知する制御情報には、ＳＳ−ＧＦＡリソースの使用が許可されないサブフレーム／スロット／ミニスロット／ＯＦＤＭシンボ
ルの情報を含めても良い。また、ＳＳ−ＧＦＡリソースを通知する制御情報に含まれるフレームコンフィグレーションとして、グラントフリーアクセスが許可されないサブフレーム／スロット／ミニスロット／ＯＦＤＭシンボルが設定される周期の情報を含んでも良い。これは周期的にグラントフリーアクセスが許可しないサブフレーム／スロット／ミニスロット／ＯＦＤＭシンボルを設定すること、制御情報を送信する頻度を低くすることができる。
【０１４１】
端末装置２０は、ＳＳ−ＧＦＡリソースを通知する制御情報にＳＳ−ＧＦＡリソースの使用が許可されないサブフレーム／スロット／ミニスロット／ＯＦＤＭシンボルの情報が含まれる場合、該サブフレーム／スロット／ミニスロット／ＯＦＤＭシンボルでデータ送信が必要な場合はＤ−ＧＦＡリソースを通知する制御情報のブラインドデコーディングを行い、Ｄ−ＧＦＡリソースの制御情報を検出時はＤ−ＧＦＡリソースでグラントフリーアクセスを行っても良い。
【０１４２】
端末装置２０は、ＳＳ−ＧＦＡリソースを通知する制御情報にＳＳ−ＧＦＡリソースの使用が許可されないサブフレーム／スロット／ミニスロット／ＯＦＤＭシンボルの情報（フレームコンフィグレーション）が含まれる場合、他の制御情報よりもフレームコンフィグレーションを優先しても良い。例えば、フレームコンフィグレーションで指定されたサブフレーム／スロット／ミニスロット／ＯＦＤＭシンボルにおいて、端末装置２０はＳＰＳ（Semi-Persistent Scheduling）の送信タイミング、もしくはＵＬ  Ｇｒａｎｔを受信してスケジュールドベースの送信タイミングであったとしてもデータ送信をしないとするなどである。また、端末装置２０はフレームコンフィグレーションで指定されたサブフレーム／スロット／ミニスロット／ＯＦＤＭシンボルにおいて物理上りリンク制御チャネル（ACK/NACKやCSI(Channel State Information)）もしくはＳＲＳ(Sounding Reference Signal)の送信タイミングであったとしてもこれらの信号を送信しないとしても良い。基地
局装置１０は、端末装置２０に対してフレームコンフィグレーションの情報とその他のデータ送信、制御情報の送信、ＳＲＳの送信のいずれを優先するかを制御情報として通知しても良い。
【０１４３】
本実施形態では、基地局装置１０がＳＳ−ＧＦＡリソースを通知する制御情報と共に、グラントフリーアクセスが許可されないサブフレーム／スロット／ミニスロット／ＯＦＤＭシンボルの情報を通知する。そのため、ＳＳ−ＧＦＡリソースが常にグラントフリーアクセスの専用の周波数リソースでなくなり、スケジュールドアクセスやその他のデータ伝送にも使用可能となる。その結果、周波数リソースの柔軟な使用が可能となり、周波数利用効率の向上が見込める。
【０１４４】
なお、本明細書の実施形態は、複数の実施形態を組み合わせて適用しても良いし、各実施形態のみを適用しても良い。
【０１４５】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１４６】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータ
システムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１４７】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４８】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１４９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５１】
本発明は、基地局装置、端末装置および通信方法に用いて好適である。
【符号の説明】
【０１５２】
１０、１２、１４  基地局装置
２０−１〜２０−ｎ１、２２−１〜２２−ｎ２、２４−１〜２４−ｎ３  端末装置
１０ａ  基地局装置１０が端末装置と接続可能な範囲
１２ａ  基地局装置１２が端末装置と接続可能な範囲
１４ａ  基地局装置１４が端末装置と接続可能な範囲
１０２  上位層処理部
１０４  送信部
１０６送信アンテナ
１０８  制御部
１１０  受信アンテナ
１１２  受信部
１０４０  符号化部
１０４２  変調部
１０４４  多重部
１０４６  下りリンク制御信号生成部
１０４８  下りリンク参照信号生成部
１０４９  ＩＦＦＴ部
１０５０  無線送信部
１１２０  無線受信部
１１２１  ＦＦＴ部
１１２２  伝搬路推定部
１１２４  多重分離部
１１２６  信号検出部
１５０２  キャンセル部
１５０４  等化部
１５０６−１〜１５０６−ｕ  多元接続信号分離部
１５０８−１〜１５０８−ｕ  ＩＤＦＴ部
１５１０−１〜１５１０−ｕ  復調部
１５１２−１〜１５１２−ｕ  復号部
１５１４  レプリカ生成部
２０２  受信アンテナ
２０４  受信部
２０６  上位層処理部
２０８  制御部
２１０  送信部
２１２  送信アンテナ
２１００  符号化部
２１０２  変調部
２１０４  ＤＦＴ部
２１０６  多元接続処理部
２１０８  多重部
２１０９  ＩＦＦＴ部
２１１０  無線送信部
２１１２  上りリンク参照信号生成部
２０４０  無線受信部
２０４１  ＦＦＴ部
２０４２  多重分離部
２０４４  復調部
２０４６  復号部
【図１】
2020031253.tif 000003
【図２】
2020031253.tif 000004
【図３】
2020031253.tif 000005
【図４】
2020031253.tif 000006
【図５】
2020031253.tif 000007
【図６】
2020031253.tif 000008
【図７】
2020031253.tif 000009
【図８】
2020031253.tif 000010
【図９】
2020031253.tif 000011
【図１０】
2020031253.tif 000012
【図１１】
2020031253.tif 000013
【図１２】
2020031253.tif 000014